(57)【要約】【課題】  より幅の小さな受光部を有するセンサＩＣを提供すること。【解決手段】  本発明に基づくセンサＩＣ３０１は、第１の波長の光を受光する第１の受光部３２ｒと、上記第１の波長とは異なる第２の波長の光を受光する第２の受光部３２ｇと、上記第１の波長および上記第２の波長と異なる第３の波長の光を受光する第３の受光部３２ｂと、を含み、主走査方向ｘに沿って一列に配列された複数の受光部３２と、第１の受光部３２ｒが受光した上記第１の波長の光に応じた第１の電気信号Ｓｒ（０）〜Ｓｒ（ｚ＋１）、第２の受光部３２ｇが受光した上記第２の波長に応じた第２の電気信号Ｓｇ（０）〜Ｓｇ（ｚ＋１）、および、第３の受光部３２ｂが受光した上記第３の波長の光に応じた第３の電気信号Ｓｂ（０）〜Ｓｂ（ｚ＋１）を出力する制御回路３５と、を備えていることを特徴とする。【選択図】  図４
2014022879.tif 000002
【特許請求の範囲】
【請求項１】
第１の波長の光を受光する第１の受光部と、上記第１の波長とは異なる第２の波長の光を受光する第２の受光部と、上記第１の波長および上記第２の波長と異なる第３の波長の光を受光する第３の受光部と、を含み、主走査方向に沿って一列に配列された複数の受光部と、
上記第１の受光部が受光した上記第１の波長の光に応じた第１の電気信号、上記第２の受光部が受光した上記第２の波長に応じた第２の電気信号、および、上記第３の受光部が受光した上記第３の波長の光に応じた第３の電気信号を出力する制御回路と、を備えていることを特徴とする、センサＩＣ。
【請求項２】
上記第１の受光部は、上記第１の波長の光を透過させる第１のカラーフィルタと、上記第１のカラーフィルタを通過した光を受光する第１の光電変換素子と、を有し、
上記第２の受光部は、上記第２の波長の光を透過させる第２のカラーフィルタと、上記第２のカラーフィルタを通過した光を受光する第２の光電変換素子と、を有し、
上記第３の受光部は、上記第３の波長の光を透過させる第３のカラーフィルタと、上記第３のカラーフィルタを通過した光を受光する第３の光電変換素子と、を有している、請求項１に記載のセンサＩＣ。
【請求項３】
上記第１の電気信号を出力する第１の出力端子と、
上記第１の出力端子とは別に設けられており、上記第２の電気信号を出力する第２の出力端子と、
上記第１の出力端子および上記第２の出力端子とは別に設けられており、上記第３の電気信号を出力する第３の出力端子とを備えている、請求項１または２に記載のセンサＩＣ。
【請求項４】
上記第１の受光部、上記第２の受光部、および、上記第３の受光部は、可視光を受光し、
上記複数の受光部は、不可視領域に含まれる第４の波長の光を受光する第４の受光部を含んでおり、
上記制御回路は、上記第４の受光部が受光した光に応じた第４の電気信号を出力する、請求項１ないし３のいずれかに記載のセンサＩＣ。
【請求項５】
上記第１の電気信号を出力する第１の出力端子と、
上記第１の出力端子とは別に設けられており、上記第２の電気信号を出力する第２の出力端子と、
上記第１の出力端子および上記第２の出力端子とは別に設けられており、上記第３の電気信号を出力する第３の出力端子と、
上記第１の出力端子、上記第２の出力端子および上記第３の出力端子とは別に設けられており、上記第４の電気信号を出力する第４の出力端子とを備えている、請求項４に記載のセンサＩＣ。
【請求項６】
第１の波長の光を受光する第１の受光部と、上記第１の波長とは異なる第２の波長の光を受光する第２の受光部と、を含み、主走査方向に沿って一列に配列された複数の受光部と、
副走査方向において上記複数の受光部と異なる位置に設けられ、上記主走査方向に沿って一列に配列された複数の追加の受光部と、
を備えており、
上記複数の追加の受光部は、上記第１の波長および上記第２の波長の光とは異なる第３の波長の光を受光する第３の受光部を含んでおり、
上記第１の受光部が受光した上記第１の波長の光に応じた第１の電気信号、上記第２の受光部が受光した上記第２の波長に応じた第２の電気信号、および、上記第３の受光部が受光した上記第３の波長の光に応じた第３の電気信号を出力する制御回路と、を備えていることを特徴とする、センサＩＣ。
【請求項７】
上記複数の受光部は、上記第１の受光部と上記第２の受光部とが交互に並ぶように、上記第１の受光部および上記第２の受光部をそれぞれ複数含んでおり、
上記複数の追加の受光部は、上記第３の受光部を複数含み、かつ、上記第３の波長の光とは異なる波長の光を受光する複数の第４の受光部を含んでおり、
上記第３の受光部と上記第４の受光部とが交互に並んでいる、請求項６に記載のセンサＩＣ。
【請求項８】
上記各第４の受光部は、上記第１の波長の光を受光し、
上記制御回路は、上記第４の受光部が受光した上記第１の波長の光に応じた第４の電気信号を出力する、請求項７に記載のセンサＩＣ。
【請求項９】
上記各第３の受光部は、上記主走査方向において、上記複数の第１の受光部のいずれかと同一の位置にあり、
上記各第４の受光部は、上記主走査方向において、上記複数の第２の受光部のいずれかと同一の位置にある、請求項８に記載のセンサＩＣ。
【請求項１０】
上記第１の受光部、上記第２の受光部、および、上記第３の受光部は、可視光を受光し、
上記第４の受光部は、不可視領域に含まれる第４の波長の光を受光する、請求項７に記載のセンサＩＣ。
【請求項１１】
請求項１ないし５のいずれかに記載のセンサＩＣと、
上記第１の波長の光、上記第２の波長の光、および、上記第３の波長の光を含む光を出射し、読取対象を照明するための光源と、
上記読取対象からの光を上記センサＩＣに正立等倍に結像させるレンズアレイと、
を備えていることを特徴とする、密着型イメージセンサ。
【請求項１２】
上記光源は、ＬＥＤチップを有する発光部と、上記主走査方向に延びる細長状であり、上記発光部が出射する光を導く導光体と、を備えている、請求項１１に記載の密着型イメージセンサ。
【請求項１３】
請求項４または５に記載のセンサＩＣと、
上記第１の波長の光、上記第２の波長の光、上記第３の波長の光、および、上記第４の波長の光を含む光を出射し、読取対象を照明するための光源と、
上記読取対象からの光を上記センサＩＣに正立等倍に結像させるレンズアレイと、
を備えていることを特徴とする、密着型イメージセンサ。
【請求項１４】
上記光源は、ＬＥＤチップを有する発光部と、上記主走査方向に延びる細長状であり、上記発光部が出射する光を導く導光体と、を備えている、請求項１３に記載の密着型イメージセンサ。
【請求項１５】
上記ＬＥＤチップは、上記第４の波長の光を出射する、請求項１４に記載の密着型イメージセンサ。
【請求項１６】
請求項６ないし１０のいずれかに記載のセンサＩＣと、
上記第１の波長の光、上記第２の波長の光、および、上記第３の波長の光を含む光を出射し、読取対象を照明するための光源と、
上記読取対象からの光を上記センサＩＣに正立等倍に結像させるレンズアレイと、
を備えていることを特徴とする、密着型イメージセンサ。
【請求項１７】
上記光源は、ＬＥＤチップを有する発光部と、上記主走査方向に延びる細長状であり、上記発光部が出射する光を導く導光体と、を備えている、請求項１６に記載の密着型イメージセンサ。
【請求項１８】
請求項１０に記載のセンサＩＣと、
上記第１の波長の光、上記第２の波長の光、上記第３の波長の光、および、上記第４の波長の光を含む光を出射し、読取対象を照明するための光源と、
上記読取対象からの光を上記センサＩＣに正立等倍に結像させるレンズアレイと、
を備えていることを特徴とする、密着型イメージセンサ。
【請求項１９】
上記光源は、ＬＥＤチップを有する発光部と、上記主走査方向に延びる細長状であり、上記発光部が出射する光を導く導光体と、を備えている、請求項１８に記載の密着型イメージセンサ。
【請求項２０】
上記ＬＥＤチップは、上記第４の波長の光を出射する、請求項１９に記載の密着型イメージセンサ。
【請求項２１】
請求項１１ないし１５のいずれかに記載の密着型イメージセンサと、
上記第１の電気信号、上記第２の電気信号、および、上記第３の電気信号を受信する信号処理部と、を備えており、
上記信号処理部は、上記第１の電気信号に基づく第１の色情報と、上記第２電気信号に基づく第２の色情報と、上記第３の電気信号に基づく第３の色情報と、を各々が含む複数の画素情報を出力することを特徴とする、画像読取装置。
【請求項２２】
上記信号処理部は、上記センサＩＣが走査するたびに、上記第１の受光部の数よりも多い上記画素情報を出力する、請求項２１に記載の画像読取装置。
【請求項２３】
上記信号処理部は、上記複数の受光部を上記主走査方向に沿って並ぶ複数の受光グループに分割して処理を行い、
上記各受光グループは、上記第１の受光部、上記第２の受光部、および、上記第３の受光部を含んでいる、請求項２２に記載の画像読読取装置。
【請求項２４】
上記複数の受光グループは、第１の受光グループと、上記第１の受光グループの隣に位置する第２の受光グループと、を含んでおり、
上記信号処理部は、上記複数の画素情報のいずれかであり、かつ、
上記第２の受光グループに属する第１の受光部からの第１の電気信号に基づく第１の色情報と、
上記第１の受光グループに属する第２の受光部からの第２の電気信号および上記第２の受光グループに属する第２の受光部からの第２の電気信号から導出される第２の色情報と、
上記第１の受光グループに属する第３の受光部からの第３の電気信号および上記第２の受光グループに属する第３の受光部からの第３の電気信号から導出される第３の色情報と、
を有する第１の画素情報を出力する、請求項２３に記載の画像読取装置。
【請求項２５】
上記複数の受光グループは、上記第２の受光グループの隣に位置する第３の受光グループをさらに含んでおり、
上記信号処理部は、上記複数の画素情報のいずれかであり、かつ、
上記第２の受光グループに属する上記第１の受光部からの第１の電気信号および上記第３の受光グループに属する第１の受光部からの第１の電気信号から導出される第１の色情報と、
上記第２の受光グループに属する上記第２の受光部からの第２の電気信号に基づく第２の色情報と、
上記第１の受光グループに属する上記第３の受光部からの第３の電気信号および上記第２の受光グループに属する上記第３の受光部からの第３の電気信号から導出される第３の色情報と、
を有する第２の画素情報を出力する、請求項２４に記載の画像読取装置。
【請求項２６】
上記信号処理部は、上記複数の受光部を上記主走査方向に沿って並ぶ複数の受光グループに分割して処理を行い、
上記複数の受光グループは、上記第１の受光部および上記第２の受光部を含む第１の受光グループと、
上記第１の受光グループの隣に位置し、上記第２の受光部および上記第３の受光部を含む第２の受光グループと、を含んでいる、請求項２２に記載の画像読取装置。
【請求項２７】
上記信号処理部は、上記複数の画素情報のいずれかであり、かつ、
上記第１の受光グループに属する第１の受光部からの第１の電気信号に基づく第１の色情報と、
上記第１の受光グループに属する第２の受光部からの第２の電気信号に基づく第２の色情報と、
上記第２の受光グループに属する第３の受光部からの第３の電気信号を用いて導出される第３の色情報と、を有する第１の画素情報を出力する、請求項２６に記載の画像読取装置。
【請求項２８】
上記複数の受光グループは、上記第１の受光部および上記第２の受光部を含み、上記第２の受光グループを基準として上記第１の受光グループの反対側に位置し、かつ、上記第２の受光グループに隣接する第３の受光グループを含んでおり、
上記信号処理部は、上記複数の画素情報のいずれかであり、かつ、
上記第１の受光グループに属する第１の受光部からの第１の電気信号、および、上記第３の受光グループに属する第１の受光部からの第１の電気信号を用いて導出される第１の色情報と、
上記第２の受光グループに属する第２の受光部からの第２の電気信号に基づく第２の色情報と、
上記第２受光グループに属する第３の受光部からの第３の電気信号に基づく第３の色情報と、
を有する第２の画素情報を出力する、請求項２７に記載の画像読取装置。
【請求項２９】
請求項１６ないし２０のいずれかに記載の密着型イメージセンサと、
上記読取対象を上記密着型イメージセンサに対して相対的に移動させる移送手段と、
上記移送手段を制御する制御手段と、
上記第１の電気信号、上記第２の電気信号、および、上記第３の電気信号を受信する信号処理部と、を備えており、
上記信号処理部は、上記第１の電気信号に基づく第１の色情報と、上記第２電気信号に基づく第２の色情報と、上記第３の電気信号に基づく第３の色情報とを、各々が含む複数の画素情報を出力することを特徴とする、画像読取装置。
【請求項３０】
上記複数の受光部は、互いに隣り合う上記第１の受光部と上記第２の受光部とを含んでおり、
上記複数の追加の受光部は、上記第１の受光部と隣り合う上記第３の受光部を含んでおり、
上記信号処理部は、上記複数の画素情報の１つであり、かつ、
上記第１の受光部からの第１の電気信号に基づく第１の色情報と、
上記第２の受光部からの第２の電気信号に基づく第２の色情報と、
上記第３の受光部からの第３の電気信号に基づく第３の色情報と、
を有する第１の画素情報を出力する、請求項２９に記載の画像読取装置。
【請求項３１】
上記制御手段は、上記センサＩＣが走査するごとに、
上記複数の受光部のピッチと、上記複数の追加の受光部のピッチとを合わせた長さと同程度の送り幅で、上記読取対象を上記密着型イメージセンサに対して相対的に移動させるように上記移送手段を制御する、請求項３０に記載の画像読取装置。
【請求項３２】
上記複数の受光部は、上記第２の受光部を基準として上記第１の受光部の反対側に位置し、かつ、上記第２の受光部の隣に位置する追加の第１の受光部を含んでおり、
上記複数の追加の受光部は、上記追加の第１の受光部と隣り合う追加の第３の受光部を含んでおり、
上記信号処理部は、上記複数の画素情報の１つであり、かつ、
上記追加の第１の受光部からの第１の電気信号に基づく第１の色情報と、
上記第２の受光部からの第２の電気信号に基づく第２の色情報と、
上記追加の第３の受光部からの第３の電気信号を用いて導出される第３の色情報と、
を有する第２の画素情報をさらに出力する、請求項３０に記載の画像読取装置。
【請求項３３】
上記制御手段は、上記センサＩＣが走査するごとに、
上記複数の受光部のピッチに応じた送り幅で、上記読取対象を上記密着型イメージセンサに対して相対的に移動させるように上記移送手段を制御する、請求項３２に記載の画像読取装置。
【発明の詳細な説明】
【技術分野】
【０００１】
本発明は、カラー原稿の読み取りを行うセンサＩＣ、密着型イメージセンサおよび画像読取装置に関する。
【背景技術】
【０００２】
従来、カラー原稿を読み取るためのセンサＩＣが提案されている（たとえば、特許文献１参照）。図２８には、従来のセンサＩＣの受光部９０を簡略に示している。同図に示す受光部９０は、３列の受光素子列９１，９２，９３を備えている。各受光素子列９１，９２，９３は、主走査方向ｘに沿って配列された複数の受光素子９１１，９２１，９３１を有しており、列ごとにＲＧＢ三原色のカラーフィルタが設けられている。具体的には、受光素子列９１には赤色光を透過するカラーフィルタが設けられており、受光素子列９２には緑色光を透過するカラーフィルタが設けられており、受光素子列９３には青色光を透過するカラーフィルタが設けられている。このようなセンサＩＣは、たとえば密着型イメージセンサに内蔵されて用いられる。密着型イメージセンサは、さらに原稿を照明するための光源と、原稿からの反射光を受光部９０に導くレンズアレイとを備えている。このような密着型イメージセンサは、光源により原稿を照明しつつ走査することにより、三色同時読み取りを行う。
【０００３】
しかしながら、従来のセンサＩＣでは、受光素子列９１，９２，９３が並列するため、副走査方向ｙにおける受光部９０の幅が大きくなる問題があった。たとえば、受光素子列が１つの場合と比較して、受光部９０は５倍程度の幅があり、この受光部９０に対応する領域を均一に照明するには光源の光量を大きくし、かつ、副走査方向ｙにおける光量のばらつきを抑える必要がある。さらに、レンズアレイは光軸付近と光軸から離れた位置とでは屈折率に差異が生じるため、副走査方向ｙにおける幅が広い光を通すことは読み取り精度の向上を図る上で障害となっていた。
【０００４】
また、近年、可視光の読み取りのみならず、赤外光などの可視光領域外の光を読み取ることが求められることがある。そのような場合、受光部９０の幅がさらに大きくなる傾向があり、上記の問題がより深刻なものとなっていた。
【先行技術文献】
【特許文献】
【０００５】
【特許文献１】特開２００６−３３２２５０号公報
【発明の概要】
【発明が解決しようとする課題】
【０００６】
本発明の第１の課題は、より幅の小さな受光部を有するセンサＩＣを提供することである。さらに、そのようなセンサＩＣを備えることにより、読み取り精度の向上を図ることができる密着型イメージセンサおよび画像読取装置を提供する。
【０００７】
本発明の第２の課題は、受光部の幅の拡大を抑えつつ、可視光領域外の光の読み取りも行うことが可能なセンサＩＣを提供することである。さらに、そのようなセンサＩＣを備えることにより、可視光領域外の光を読み取り可能であり、かつ、読み取り精度の向上を図ることができる密着型イメージセンサおよび画像読取装置を提供する。
【課題を解決するための手段】
【０００８】
本発明の第１の側面によって提供されるセンサＩＣは、第１の波長の光を受光する第１の受光部と、上記第１の波長とは異なる第２の波長の光を受光する第２の受光部と、上記第１の波長および上記第２の波長と異なる第３の波長の光を受光する第３の受光部と、を含み、主走査方向に沿って一列に配列された複数の受光部と、上記第１の受光部が受光した上記第１の波長の光に応じた第１の電気信号、上記第２の受光部が受光した上記第２の波長に応じた第２の電気信号、および、上記第３の受光部が受光した上記第３の波長の光に応じた第３の電気信号を出力する制御回路と、を備えていることを特徴とする。
【０００９】
このような構成によれば、上記複数の受光部は、たとえば赤緑青色の３種類の波長の光を読み取ることが可能であり、かつ、主走査方向に沿って一列に配列されているため副走査方向における幅を最小限に抑えることが可能である。
【００１０】
本発明の好ましい実施の形態においては、上記第１の受光部は、上記第１の波長の光を透過させる第１のカラーフィルタと、上記第１のカラーフィルタを通過した光を受光する第１の光電変換素子と、を有し、上記第２の受光部は、上記第２の波長の光を透過させる第２のカラーフィルタと、上記第２のカラーフィルタを通過した光を受光する第２の光電変換素子と、を有し、上記第３の受光部は、上記第３の波長の光を透過させる第３のカラーフィルタと、上記第３のカラーフィルタを通過した光を受光する第３の光電変換素子と、を有している。
【００１１】
本発明の好ましい実施の形態においては、上記第１の電気信号を出力する第１の出力端子と、上記第１の出力端子とは別に設けられており、上記第２の電気信号を出力する第２の出力端子と、上記第１の出力端子および上記第２の出力端子とは別に設けられており、上記第３の電気信号を出力する第３の出力端子とを備えている。
【００１２】
本発明の第２の課題の解決を図るための実施の形態においては、上記第１の受光部、上記第２の受光部、および、上記第３の受光部は、可視光を受光し、上記複数の受光部は、不可視領域に含まれる第４の波長の光を受光する第４の受光部を含んでおり、上記制御回路は、上記第４の受光部が受光した光に応じた第４の電気信号を出力する。
【００１３】
好ましくは、上記第１の電気信号を出力する第１の出力端子と、上記第１の出力端子とは別に設けられており、上記第２の電気信号を出力する第２の出力端子と、上記第１の出力端子および上記第２の出力端子とは別に設けられており、上記第３の電気信号を出力する第３の出力端子と、上記第１の出力端子、上記第２の出力端子および上記第３の出力端子とは別に設けられており、上記第４の電気信号を出力する第４の出力端子とを備えている。
【００１４】
本発明の第２の側面によって提供されるセンサＩＣは、第１の波長の光を受光する第１の受光部と、上記第１の波長とは異なる第２の波長の光を受光する第２の受光部と、を含み、主走査方向に沿って一列に配列された複数の受光部と、副走査方向において上記複数の受光部と異なる位置に設けられ、上記主走査方向に沿って一列に配列された複数の追加の受光部と、を備えており、上記複数の追加の受光部は、上記第１の波長および上記第２の波長の光とは異なる第３の波長の光を受光する第３の受光部を含んでおり、上記第１の受光部が受光した上記第１の波長の光に応じた第１の電気信号、上記第２の受光部が受光した上記第２の波長に応じた第２の電気信号、および、上記第３の受光部が受光した上記第３の波長の光に応じた第３の電気信号を出力する制御回路と、を備えていることを特徴とする。
【００１５】
本発明の好ましい実施の形態においては、上記複数の受光部は、上記第１の受光部と上記第２の受光部とが交互に並ぶように、上記第１の受光部および上記第２の受光部をそれぞれ複数含んでおり、上記複数の追加の受光部は、上記第３の受光部を複数含み、かつ、上記第３の波長の光とは異なる波長の光を受光する複数の第４の受光部を含んでおり、上記第３の受光部と上記第４の受光部とが交互に並んでいる。
【００１６】
本発明の好ましい実施の形態においては、上記各第４の受光部は、上記第１の波長の光を受光し、上記制御回路は、上記第４の受光部が受光した上記第１の波長の光に応じた第４の電気信号を出力する。
【００１７】
本発明の好ましい実施の形態においては、上記各第３の受光部は、上記主走査方向において、上記複数の第１の受光部のいずれかと同一の位置にあり、上記各第４の受光部は、上記主走査方向において、上記複数の第２の受光部のいずれかと同一の位置にある。
【００１８】
本発明の第２の課題の解決を図るための実施の形態においては、上記第１の受光部、上記第２の受光部、および、上記第３の受光部は、可視光を受光し、上記第４の受光部は、不可視領域に含まれる第４の波長の光を受光する。
【００１９】
本発明の第３の側面によって提供される密着型イメージセンサは、本発明の第１の側面によって提供されるセンサＩＣと、上記第１の波長の光、上記第２の波長の光、および、上記第３の波長の光を含む光を出射し、読取対象を照明するための光源と、上記読取対象からの光を上記センサＩＣに正立等倍に結像させるレンズアレイと、を備えていることを特徴とする。
【００２０】
本発明の好ましい実施の形態においては、上記光源は、ＬＥＤチップを有する発光部と、上記主走査方向に延びる細長状であり、上記発光部が出射する光を導く導光体と、を備えている。
【００２１】
本発明の第４の側面によって提供される密着型イメージセンサは、本発明の第１の側面によって提供され、本発明の第２の課題の解決を図るためのセンサＩＣと、上記第１の波長の光、上記第２の波長の光、上記第３の波長の光、および、上記第４の波長の光を含む光を出射し、読取対象を照明するための光源と、上記読取対象からの光を上記センサＩＣに正立等倍に結像させるレンズアレイと、を備えている。
【００２２】
好ましくは、上記光源は、ＬＥＤチップを有する発光部と、上記主走査方向に延びる細長状であり、上記発光部が出射する光を導く導光体と、を備えている。
【００２３】
より好ましくは、上記ＬＥＤチップは、上記第４の波長の光を出射する。
【００２４】
本発明の第５の側面によって提供される密着型イメージセンサは、本発明の第２の側面によって提供されるセンサＩＣと、上記第１の波長の光、上記第２の波長の光、および、上記第３の波長の光を含む光を出射し、読取対象を照明するための光源と、上記読取対象からの光を上記センサＩＣに正立等倍に結像させるレンズアレイと、を備えていることを特徴とする。
【００２５】
好ましくは、上記光源は、ＬＥＤチップを有する発光部と、上記主走査方向に延びる細長状であり、上記発光部が出射する光を導く導光体と、を備えている。
【００２６】
本発明の第６の側面によって提供される密着型イメージセンサは、本発明の第２の側面によって提供され、本発明の第２の課題の解決を図るためのセンサＩＣと、上記第１の波長の光、上記第２の波長の光、上記第３の波長の光、および、上記第４の波長の光を含む光を出射し、読取対象を照明するための光源と、上記読取対象からの光を上記センサＩＣに正立等倍に結像させるレンズアレイと、を備えていることを特徴とする。
【００２７】
好ましくは、上記光源は、ＬＥＤチップを有する発光部と、上記主走査方向に延びる細長状であり、上記発光部が出射する光を導く導光体と、を備えている。
【００２８】
好ましくは、上記ＬＥＤチップは、上記第４の波長の光を出射する。
【００２９】
本発明の第７の側面によって提供される画像読取装置は、本発明の第３または第４の側面によって提供される密着型イメージセンサと、上記第１の電気信号、上記第２の電気信号、および、上記第３の電気信号を受信する信号処理部と、を備えており、上記信号処理部は、上記第１の電気信号に基づく第１の色情報と、上記第２電気信号に基づく第２の色情報と、上記第３の電気信号に基づく第３の色情報と、を各々が含む複数の画素情報を出力することを特徴とする。
【００３０】
好ましくは、上記信号処理部は、上記センサＩＣが走査するたびに、上記第１の受光部の数よりも多い上記画素情報を出力する。
【００３１】
本発明の好ましい実施の形態においては、上記信号処理部は、上記複数の受光部を上記主走査方向に沿って並ぶ複数の受光グループに分割して処理を行い、上記各受光グループは、上記第１の受光部、上記第２の受光部、および、上記第３の受光部を含んでいる。
【００３２】
好ましくは、上記複数の受光グループは、第１の受光グループと、上記第１の受光グループの隣に位置する第２の受光グループと、を含んでおり、上記信号処理部は、上記複数の画素情報のいずれかであり、かつ、上記第２の受光グループに属する第１の受光部からの第１の電気信号に基づく第１の色情報と、上記第１の受光グループに属する第２の受光部からの第２の電気信号および上記第２の受光グループに属する第２の受光部からの第２の電気信号から導出される第２の色情報と、上記第１の受光グループに属する第３の受光部からの第３の電気信号および上記第２の受光グループに属する第３の受光部からの第３の電気信号から導出される第３の色情報と、を有する第１の画素情報を出力する。
【００３３】
より好ましくは、上記複数の受光グループは、上記第２の受光グループの隣に位置する第３の受光グループをさらに含んでおり、上記信号処理部は、上記複数の画素情報のいずれかであり、かつ、上記第２の受光グループに属する上記第１の受光部からの第１の電気信号および上記第３の受光グループに属する第１の受光部からの第１の電気信号から導出される第１の色情報と、上記第２の受光グループに属する上記第２の受光部からの第２の電気信号に基づく第２の色情報と、上記第１の受光グループに属する上記第３の受光部からの第３の電気信号および上記第２の受光グループに属する上記第３の受光部からの第３の電気信号から導出される第３の色情報と、を有する第２の画素情報を出力する。
【００３４】
本発明の別の好ましい実施の形態においては、上記信号処理部は、上記複数の受光部を上記主走査方向に沿って並ぶ複数の受光グループに分割して処理を行い、上記複数の受光グループは、上記第１の受光部および上記第２の受光部を含む第１の受光グループと、上記第１の受光グループの隣に位置し、上記第２の受光部および上記第３の受光部を含む第２の受光グループと、を含んでいる。
【００３５】
好ましくは、上記信号処理部は、上記複数の画素情報のいずれかであり、かつ、上記第１の受光グループに属する第１の受光部からの第１の電気信号に基づく第１の色情報と、上記第１の受光グループに属する第２の受光部からの第２の電気信号に基づく第２の色情報と、上記第２の受光グループに属する第３の受光部からの第３の電気信号を用いて導出される第３の色情報と、を有する第１の画素情報を出力する。
【００３６】
より好ましくは、上記複数の受光グループは、上記第１の受光部および上記第２の受光部を含み、上記第２の受光グループを基準として上記第１の受光グループの反対側に位置し、かつ、上記第２の受光グループに隣接する第３の受光グループを含んでおり、上記信号処理部は、上記複数の画素情報のいずれかであり、かつ、上記第１の受光グループに属する第１の受光部からの第１の電気信号、および、上記第３の受光グループに属する第１の受光部からの第１の電気信号を用いて導出される第１の色情報と、上記第２の受光グループに属する第２の受光部からの第２の電気信号に基づく第２の色情報と、上記第２受光グループに属する第３の受光部からの第３の電気信号に基づく第３の色情報と、を有する第２の画素情報を出力する。
【００３７】
本発明の第８の側面によって提供される画像読取装置は、本発明の第５または第６の側面によって提供される密着型イメージセンサと、上記読取対象を上記密着型イメージセンサに対して相対的に移動させる移送手段と、上記移送手段を制御する制御手段と、上記第１の電気信号、上記第２の電気信号、および、上記第３の電気信号を受信する信号処理部と、を備えており、上記信号処理部は、上記第１の電気信号に基づく第１の色情報と、上記第２電気信号に基づく第２の色情報と、上記第３の電気信号に基づく第３の色情報とを、各々が含む複数の画素情報を出力することを特徴とする。
【００３８】
好ましくは、上記複数の受光部は、互いに隣り合う上記第１の受光部と上記第２の受光部とを含んでおり、上記複数の追加の受光部は、上記第１の受光部と隣り合う上記第３の受光部を含んでおり、上記信号処理部は、上記複数の画素情報の１つであり、かつ、上記第１の受光部からの第１の電気信号に基づく第１の色情報と、上記第２の受光部からの第２の電気信号に基づく第２の色情報と、上記第３の受光部からの第３の電気信号に基づく第３の色情報と、を有する第１の画素情報を出力する。
【００３９】
本発明の好ましい実施の形態においては、上記制御手段は、上記センサＩＣが走査するごとに、上記複数の受光部のピッチと、上記複数の追加の受光部のピッチとを合わせた長さと同程度の送り幅で、上記読取対象を上記密着型イメージセンサに対して相対的に移動させるように上記移送手段を制御する。
【００４０】
本発明の別の好ましい実施の形態においては、上記複数の受光部は、上記第２の受光部を基準として上記第１の受光部の反対側に位置し、かつ、上記第２の受光部の隣に位置する追加の第１の受光部を含んでおり、上記複数の追加の受光部は、上記追加の第１の受光部と隣り合う追加の第３の受光部を含んでおり、上記信号処理部は、上記複数の画素情報の１つであり、かつ、上記追加の第１の受光部からの第１の電気信号に基づく第１の色情報と、上記第２の受光部からの第２の電気信号に基づく第２の色情報と、上記追加の第３の受光部からの第３の電気信号を用いて導出される第３の色情報と、を有する第２の画素情報をさらに出力する。
【００４１】
好ましくは、上記制御手段は、上記センサＩＣが走査するごとに、上記複数の受光部のピッチに応じた送り幅で、上記読取対象を上記密着型イメージセンサに対して相対的に移動させるように上記移送手段を制御する。
【００４２】
本発明のその他の特徴および利点は、添付図面を参照して以下に行う詳細な説明によって、より明らかとなろう。
【図面の簡単な説明】
【００４３】
【図１】本発明の第１実施形態に基づく画像読取装置を示す概略構成図である。
【図２】図１に示す密着型イメージセンサの概略断面図である。
【図３】図２に示すセンサＩＣの要部平面図である。
【図４】図１に示す画像読取装置の構成を説明するための図である。
【図５】図１に示す画像読取装置の動作を説明するための図である。
【図６】本発明の第２実施形態に基づく画像読取装置の構成を示す概略構成図である。
【図７】図６に示す密着型イメージセンサの概略断面図である。
【図８】図６に示すセンサＩＣの要部平面図である。
【図９】図６に示す画像読取装置の構成を説明するための図である。
【図１０】図７に示す画像読取装置の動作を説明するための図である。
【図１１】本発明の第３実施形態に基づく画像読取装置を示す概略構成図である。
【図１２】図１１に示す画像読取装置の構成を説明するための図である。
【図１３】図１１に示す画像読取装置の動作を説明するための図である。
【図１４】本発明の第４実施形態に基づく画像読取装置を示す概略構成図である。
【図１５】図１４に示す密着型イメージセンサに内蔵されるセンサＩＣの要部平面図である。
【図１６】図１４に示す画像読取装置の構成を説明するための図である。
【図１７】図１４に示す画像読取装置の動作を説明するための図である。
【図１８】本発明の第５実施形態に基づく画像読取装置を示す概略構成図である。
【図１９】図１８に示す画像読取装置の構成を説明するための図である。
【図２０】図１８に示す画像読取装置の動作を説明するための図である。
【図２１】本発明の第６実施形態に基づく画像読取装置を示す概略構成図である。
【図２２】図２１に示す密着型イメージセンサに内蔵されるセンサＩＣの要部平面図である。
【図２３】図２１に示す画像読取装置の構成を説明するための図である。
【図２４】図２１に示す画像読取装置の動作を説明するための図である。
【図２５】本発明の第７実施形態に基づく画像読取装置を示す概略構成図である。
【図２６】図２５に示す画像読取装置の構成を説明するための図である。
【図２７】図２５に示す画像読取装置の動作を説明するための図である。
【図２８】従来のセンサＩＣの受光部を示す図である。
【発明を実施するための形態】
【００４４】
以下、本発明の好ましい実施の形態につき、図面を参照して具体的に説明する。
【００４５】
図１には、本発明の第１の実施形態に基づく画像読取装置を示している。本実施形態の画像読取装置１０１は、密着型イメージセンサ２０１と、信号処理部４００と、画像処理部５００と、移送手段６００と、制御手段７００とを備えている。また、画像読取装置１０１は、主走査方向ｘと、主走査方向ｘと直交する副走査方向ｙを有しており、読取対象８００を副走査方向ｙに搬送しつつ、一度の走査により主走査方向ｘに沿う細長帯状の読取領域８０１を読み取るものである。本実施形態の読取対象８００は、たとえば写真といったカラー原稿である。
【００４６】
図２には、密着型イメージセンサ２０１を主走査方向ｘと直交する平面で切断した概略断面図を示している。図２に示すように、密着型イメージセンサ２０１は、センサＩＣ３０１、筐体２１、光源２２、透光カバー２３、および、レンズアレイ２４を備えている。
【００４７】
筐体２１は、密着型イメージセンサ２０１の外観の大部分を占める部品であり、主走査方向ｘに長く延びる細長直方体形状を有している。図２に示すように、筐体２１は図中上下方向に開口し、上方の開口には透光カバー２３が、下方の開口にはセンサＩＣ３０１が嵌め込まれている。また、筐体２１の内部には、光源２２およびレンズアレイ２４が収容されている。
【００４８】
光源２２は、赤色光を出射する赤色ＬＥＤチップ２２１と、緑色光を出射する緑色ＬＥＤチップ２２２と、青色光を出射する青色ＬＥＤチップ２２３と、主走査方向ｘに長く延びる細長状の導光体２２０とを備えている。導光体２２０は、たとえばアクリル樹脂製であり、赤色ＬＥＤチップ２２１、緑色ＬＥＤチップ２２２、および、青色ＬＥＤチップ２２３が出射した光を主走査方向ｘに導きつつ、その一部を読取領域８０１に向けて出射する。
【００４９】
レンズアレイ２４は、図２に示すように、読取領域８０１の図中真下に配置されており、読取領域８０１からの光をセンサＩＣ３０１に正立等倍に結像させる。このようなレンズアレイ２４は、たとえば、複数のロッドレンズを主走査方向ｘに沿って配列することで実現可能である。
【００５０】
センサＩＣ３０１は、図２および図３に示すように、基板３１と、基板３１に搭載された複数の受光部３２と、複数の受光部３２に接続された制御回路３５と、制御回路３５に接続された３つの出力端子３６１，３６２，３６３とを備えている。
【００５１】
基板３１は、たとえばガラスエポキシ樹脂製であり、図３に示すように、主走査方向ｘに長く延びる細長矩形状の形成されている。複数の受光部３２は、主走査方向ｘに沿って一列に、一定のピッチで基板３１上に配列されている。また、図２に示すように、複数の受光部３２は、レンズアレイ２４の図中真下に配置されている。
【００５２】
各受光部３２は、図２に示すように、カラーフィルタ３３および光電変換素子３４を有している。カラーフィルタ３３は光電変換素子３４の図中上方に設けられており、光電変換素子３４にはレンズアレイ２４からの光のうちカラーフィルタ３３を通過した光のみが入射するようになっている。なお、カラーフィルタ３３は後述するカラーフィルタ３３ｒ，３３ｇ，３３ｂのいずれかであり、光電変換素子３４は後述する光電変換素子３４ｒ，３４ｇ，３４ｂのいずれかである。
【００５３】
図４に示すように、複数の受光部３２は、第１の波長の光を電気信号に変換する受光部３２ｒと、第１の波長とは異なる第２の波長の光を電気信号に変換する受光部３２ｇと、第１の波長および第２の波長と異なる第３の波長の光を電気信号に変換する受光部３２ｂを含んでいる。第１の波長の光は赤色ＬＥＤチップ２２１から出射される赤色光であり、第２の波長の光は緑色ＬＥＤチップ２２２から出射される緑色光であり、第３の波長の光は青色ＬＥＤチップ２２３から出射される青色光である。なお、受光部３２ｒは本発明の請求項でいう第１の受光部に相当し、受光部３２ｇは本発明の請求項でいう第２の受光部に相当し、受光部３２ｂは本発明の請求項でいう第３の受光部に相当する。
【００５４】
本実施形態では、複数の受光部３２は、ｚ＋２個（ｚ：１以上の整数）の受光部３２ｒと、ｚ＋２個の受光部３２ｇと、ｚ＋２個の受光部３２ｂとによって構成されている。便宜上、図４では、複数の受光部３２ｒには、主走査方向ｘに沿って順にＲ０〜Ｒｚ＋１と表記し、複数の受光部３２ｇには、主走査方向ｘに沿って順にＧ０〜Ｇｚ＋１と表記し、複数の受光部３２ｂには、主走査方向ｘに沿って順にＢ０〜Ｂｚ＋１と表記している。複数の受光部３２ｒ，３２ｇ，３２ｂに付す番号は、いずれも図４中左方（主走査方向ｘ１方）ほど数字が小さくなっている。図４に示すように、ＲＧＢの順で並ぶ３つの受光部３２ｒ,３２ｇ，３２ｂからなる組が連続的に配列されている。
【００５５】
各受光部３２ｒは、赤色光を透過させるカラーフィルタ３３ｒと、カラーフィルタ３３ｒを通過した赤色光を受光する光電変換素子３４ｒとを有している。各受光部３２ｇは、緑色光を透過させるカラーフィルタ３３ｇと、カラーフィルタ３３ｇを通過した緑色光を受光する光電変換素子３４ｇとを有している。各受光部３２ｂは、青色光を透過させるカラーフィルタ３３ｂと、カラーフィルタ３３ｂを通過した青色光を受光する光電変換素子３４ｂとを有している。なお、便宜上区別しているが、光電変換素子３４ｒ，３４ｇ，３４ｂとして同型の光電変換素子を用いてよい。
【００５６】
制御回路３５は、各受光部３２が受光した光に応じた電気信号を出力するものである。各受光部３２の光電変換素子３４は光を受光すると、その光の強さに応じた電気信号を制御回路３５に伝える。制御回路３５は各光電変換素子３４からの電気信号を増幅して出力する。本実施形態では、図３に示すように、３つの制御回路３５が主走査方向ｘに沿って互いに距離を隔てつつ並ぶように配置されている。複数の受光部３２は、電気信号の減衰を抑えるため、３つの制御回路３５のうち比較的距離の近いものに接続されている。
【００５７】
具体的には、制御回路３５は、図４においてＲ０〜Ｒｚ＋１と表記された各受光部３２ｒからの電気信号を増幅し、電気信号Ｓｒ（０）〜Ｓｒ（ｚ＋１）を出力する。電気信号Ｓｒ（０）〜Ｓｒ（ｚ＋１）は、それぞれ、同じ番号が付されたＲ０〜Ｒｚ＋１からの電気信号に基づくものである。これらの電気信号Ｓｒ（０）〜Ｓｒ（ｚ＋１）は、本発明の請求項でいう第１の電気信号に相当する。
【００５８】
また、制御回路３５は、図４においてＧ０〜Ｇｚ＋１と表記された各受光部３２ｇからの電気信号を増幅し、電気信号Ｓｇ（０）〜Ｓｇ（ｚ＋１）を出力する。電気信号Ｓｇ（０）〜Ｓｇ（ｚ＋１）は、それぞれ、同じ番号が付されたＧ０〜Ｇｚ＋１からの電気信号に基づくものである。これらの電気信号Ｓｇ（０）〜Ｓｇ（ｚ＋１）は、本発明の請求項でいう第２の電気信号に相当する。
【００５９】
また、さらに、制御回路３５は、図４においてＢ０〜Ｂｚ＋１と表記された各受光部３２ｂからの電気信号を増幅し、電気信号Ｓｂ（０）〜Ｓｂ（ｚ＋１）を出力する。電気信号Ｓｂ（０）〜Ｓｂ（ｚ＋１）は、それぞれ、同じ番号が付されたＢ０〜Ｂｚ＋１からの電気信号に基づくものである。これらの電気信号Ｓｂ（０）〜Ｓｂ（ｚ＋１）は、本発明の請求項でいう第３の電気信号に相当する。
【００６０】
出力端子３６１は、制御回路３５が出力した電気信号Ｓｒ（０）〜Ｓｒ（ｚ＋１）を信号処理部４００へ出力する。出力端子３６２は、制御回路３５が出力した電気信号Ｓｇ（０）〜Ｓｇ（ｚ＋１）を信号処理部４００へ出力する。出力端子３６３は、制御回路３５が出力した電気信号Ｓｂ（０）〜Ｓｂ（ｚ＋１）を信号処理部４００へ出力する。図４では、説明の便宜上、電気信号Ｓｒ（０）〜Ｓｒ（ｚ＋１）を並べて示しているが、電気信号Ｓｒ（０）〜Ｓｒ（ｚ＋１）は番号順に順次出力端子３６１から信号処理部４００へ送信される。同様に、電気信号Ｓｇ（０）〜Ｓｇ（ｚ＋１）は番号順に順次出力端子３６２から信号処理部４００へ送信され、電気信号Ｓｂ（０）〜Ｓｂ（ｚ＋１）は番号順に順次出力端子３６３から信号処理部４００へ送信される。以下、出力端子３６１が出力する電気信号Ｓｒ（０）〜Ｓｒ（ｚ＋１）を一括りにして電気信号ＳＲと記載し、出力端子３６２が出力する電気信号Ｓｇ（０）〜Ｓｇ（ｚ＋１）を一括りにして電気信号ＳＧとし、出力端子３６３が出力する電気信号Ｓｂ（０）〜Ｓｂ（ｚ＋１）を一括りにして電気信号ＳＢとする。
【００６１】
信号処理部４００は、センサＩＣ３０１が出力する電気信号ＳＲ，ＳＧ，ＳＢを受信し、受信した電気信号に基づく複数の画素情報を生成し、生成した画素情報を画像処理部５００へ送信する。各画素情報は、赤緑青の３色の色情報を有している。画像処理部５００は画素情報に基づき読取領域８０１のカラー読取画像を生成する。
【００６２】
以下、信号処理部４００における信号処理について図４および図５を参照にしつつ説明を行う。
【００６３】
信号処理部４００は、電気信号ＳＲ，ＳＧ，ＳＢから３ｚ個の画素情報Ｉｐ１〜Ｉｐ３ｚを生成する。１以上ｚ以下の整数ｎを用いて記述すると、画素情報Ｉｐｎは、赤色情報Ｒｐｎ、緑色情報Ｇｐｎ、青色情報Ｂｐｎを有している。赤色情報Ｒｐ１〜Ｒｐｚは、電気信号Ｓｒ（０）〜Ｓｒ（ｚ＋１）の強度｜Ｓｒ（０）｜〜｜Ｓｒ（ｚ＋１）｜を用いて導出される。緑色情報Ｇｐ１〜Ｇｐｚは、電気信号Ｓｇ（０）〜Ｓｇ（ｚ＋１）の強度｜Ｓｇ（０）｜〜｜Ｓｇ（ｚ＋１）｜を用いて導出される。青色情報Ｂｐ１〜Ｂｐｚは、電気信号Ｓｂ（０）〜Ｓｂ（ｚ＋１）の強度｜Ｓｂ（０）｜〜｜Ｓｂ（ｚ＋１）｜を用いて導出される。
【００６４】
信号処理部４００は、複数の受光部３２を主走査方向ｘに沿って並ぶ複数の受光グループＰ０〜Ｐｚ＋１に分割して処理を行う。受光グループＰ０〜Ｐｚ＋１は、それぞれ、付された番号と同じ番号のＲ０〜Ｒｚ＋１，Ｇ０〜Ｇｚ＋１，Ｂ０〜Ｂｚ＋１と表記された受光部３２ｒ，３２ｇ，３２ｂを含んでいる。具体的には、受光グループＰ０は、図４においてＲ０と表記される受光部３２ｒと、Ｇ０と表記される受光部３２ｇと、Ｂ０と表記される受光部３２ｂとによって構成されている。さらに、受光グループＰｎは、Ｒｎと表記される受光部３２ｒと、Ｇｎと表記される受光部３２ｇと、Ｂｎと表記される受光部３２ｂとによって構成されている。また、さらに、受光グループＰｚ＋１は、Ｒｚ＋１と表記される受光部３２ｒと、Ｇｚ＋１と表記される受光部３２ｇと、Ｂｚ＋１と表記される受光部３２ｂとによって構成されている。
【００６５】
信号処理部４００は、画素情報Ｉｐ１〜Ｉｐ３ｚのいずれかである１つの画素情報を生成する際に、複数の受光グループＰ０〜Ｐｚ＋１のうち２つ以上の受光グループからの電気信号を使用する。
【００６６】
具体的には、信号処理部４００は、受光グループＰ０に属する受光部３２ｇ，３２ｂからの電気信号Ｓｇ（０），Ｓｂ（０）と、受光グループＰ１に属する受光部３２ｒ，３２ｇ，３２ｂからの電気信号Ｓｒ（１），Ｓｇ（１），Ｓｂ（１）とに基づいて画素情報Ｉｐ１を生成する。画素情報Ｉｐ１の赤色情報Ｒｐ１は、たとえば、電気信号Ｓｒ（１）の強度｜Ｓｒ（１）｜によって表される（図５参照）。画素情報Ｉｐ１の緑色情報Ｇｐ１は、たとえば、電気信号Ｓｇ（０）の強度｜Ｓｇ（０）｜と、電気信号Ｓｇ（１）の強度｜Ｓｇ（１）｜とを用いて導出され、｜Ｓｇ（０）｜×１／３＋｜Ｓｇ（１）｜×２／３によって表される。画素情報Ｉｐ１の青色情報Ｂｐ１は、たとえば、電気信号Ｓｂ（０）の強度｜Ｓｂ（０）｜と、電気信号Ｓｂ（１）の強度｜Ｓｂ（１）｜とを用いて導出され、｜Ｓｂ（０）｜×２／３＋｜Ｓｂ（１）｜×１／３によって表される。
【００６７】
画素情報Ｉｐ１の赤色情報Ｒｐ１が電気信号Ｓｒ（１）の強度によって表されることから、画素情報Ｉｐ１は、受光領域８０１のうち、Ｒ１と表記される受光部３２ｒと向かい合う部分に関する情報である。受光部３２ｒは、緑色光および青色光を受光しないため、そのままではこの位置に関する緑色情報Ｇｐ１および青色情報Ｂｐ１は不明となる。本実施形態では、信号処理部４００が緑色情報Ｇｐ１および青色情報Ｂｐ１を補完している。たとえば、緑色情報Ｇｐ１は、図４でＲ１と表記される受光部３２ｒに隣接する受光部３２ｇ（図４ではＧ１と表記）からの電気信号Ｓｇ（１）と、その次に近い位置にある受光部３２ｇ（図４ではＧ０と表記）からの電気信号Ｓｇ（０）とに基づいて生成されている。上述した式では、位置関係を考慮し、直近の受光部３２ｇ（図４ではＧ１と表記）からの電気信号Ｓｇ（１）がより大きな影響を与えるように、係数が定められている。
【００６８】
さらに、信号処理部４００は、受光グループＰ０に属する受光部３２ｂからの電気信号Ｓｂ（０）と、受光グループＰ１に属する受光部３２ｒ，３２ｇ，３２ｂからの電気信号Ｓｒ（１），Ｓｇ（１），Ｓｂ（１）と、受光グループＰ２に属する受光部３２ｒからの電気信号Ｓｒ（２）とに基づいて画素情報Ｉｐ２を生成する。画素情報Ｉｐ２の赤色情報Ｒｐ２は、強度｜Ｓｒ（１）｜と、電気信号Ｓｒ（２）の強度｜Ｓｒ（２）｜とを用いて導出され、｜Ｓｒ（１）｜×２／３＋｜Ｓｒ（２）｜×１／３によって表される。緑色情報Ｇｐ２は、強度｜Ｓｇ（１）｜によって表される。青色情報Ｂｐ２は、強度｜Ｓｂ（０）｜と、の強度｜Ｓｂ（１）｜とを用いて導出され、｜Ｓｂ（０）｜×１／３＋｜Ｓｂ（１）｜×２／３によって表される。
【００６９】
またさらに、信号処理部４００は、受光グループＰ１に属する受光部３２ｒ，３２ｇ，３２ｂからの電気信号Ｓｒ（１），Ｓｇ（１），Ｓｂ（１）と、受光グループＰ２に属する受光部３２ｒ，３２ｇからの電気信号Ｓｒ（２），Ｓｇ（２）とに基づいて画素情報Ｉｐ３を生成する。画素情報Ｉｐ３の赤色情報Ｒｐ３は、強度｜Ｓｒ（１）｜と、強度｜Ｓｒ（２）｜とを用いて導出され、｜Ｓｒ（１）｜×１／３＋｜Ｓｒ（２）｜×２／３によって表される。緑色情報Ｇｐ３は、強度｜Ｓｇ（１）｜と、電気信号Ｓｇ（２）の強度｜Ｓｇ（２）｜とを用いて導出され、｜Ｓｇ（１）｜×２／３＋｜Ｓｇ（２）｜×１／３によって表される。青色情報Ｂｐ３は、強度｜Ｓｂ（１）｜によって表される。
【００７０】
以降の番号の画素情報Ｉｐ４〜Ｉｐ３ｚも同様に複数の受光グループＰ０〜Ｐｚ＋１からの信号に基づき生成される。図５では、上述のｎを用いて、画素情報Ｉｐ３ｎ−２、画素情報Ｉｐ３ｎ−１、画素情報Ｉｐ３ｎについて示している。
【００７１】
画素情報Ｉｐ３ｎ−２の赤色情報Ｒｐ３ｎ−２は、電気信号Ｓｒ（ｎ）の強度｜Ｓｒ（ｎ）｜によって表される。緑色情報Ｇｐ３ｎ―２は、電気信号Ｓｇ（ｎ−１）の強度｜Ｓｇ（ｎ−１）｜と、電気信号Ｓｇ（ｎ）の強度｜Ｓｇ（ｎ）｜とを用いて導出され、｜Ｓｇ（ｎ−１）｜×１／３＋｜Ｓｇ（ｎ）｜×２／３によって表される。青色情報Ｂｐ３ｎ―２は、たとえば、電気信号Ｓｂ（ｎ―１）の強度｜Ｓｂ（ｎ−１）｜と、電気信号Ｓｂ（ｎ）の強度｜Ｓｂ（ｎ）｜とを用いて導出され、｜Ｓｂ（ｎ−１）｜×２／３＋｜Ｓｂ（ｎ）｜×１／３によって表される。
【００７２】
画素情報Ｉｐ３ｎ−１の赤色情報Ｒｐ３ｎ−１は、強度｜Ｓｒ（ｎ）｜と、電気信号Ｓｒ（ｎ＋１）の強度｜Ｓｒ（ｎ＋１）｜とを用いて導出され、｜Ｓｒ（ｎ）｜×２／３＋｜Ｓｒ（ｎ＋１）｜×１／３によって表される。緑色情報Ｇｐ３ｎ−１は、強度｜Ｓｇ（ｎ）｜によって表される。青色情報Ｂｐ３ｎ−１は、強度｜Ｓｂ（ｎ−１）｜と、の強度｜Ｓｂ（ｎ）｜とを用いて導出され、｜Ｓｂ（ｎ−１）｜×１／３＋｜Ｓｂ（ｎ）｜×２／３によって表される。
【００７３】
画素情報Ｉｐ３ｎの赤色情報Ｒｐ３ｎは、強度｜Ｓｒ（ｎ）｜と、強度｜Ｓｒ（ｎ＋１）｜とを用いて導出され、｜Ｓｒ（ｎ）｜×１／３＋｜Ｓｒ（ｎ＋１）｜×２／３によって表される。緑色情報Ｇｐ３ｎは、強度｜Ｓｇ（ｎ）｜と、電気信号Ｓｇ（ｎ＋１）の強度｜Ｓｇ（ｎ＋１）｜とを用いて導出され、｜Ｓｇ（ｎ）｜×２／３＋｜Ｓｇ（ｎ＋１）｜×１／３によって表される。青色情報Ｂｐ３ｎは、強度｜Ｓｂ（ｎ）｜によって表される。
【００７４】
以上の処理に従えば、画像読取装置１０１は、一列に配列された３ｚ＋６個の受光部３２を用いて、３ｚ個の画素情報Ｉｐ１〜Ｉｐ３ｚを生成することが可能である。この画素情報の数は、主走査方向ｘに沿って並ぶ受光部３２ｒの数よりも多い。
【００７５】
移送手段６００は、複数の駆動ローラを組み合わせたものであり、制御手段７００によって制御される。制御手段７００は、密着型イメージセンサ２０１が主走査方向ｘに沿う走査を行うごとに、読取対象８００を所定の送り幅だけ移動させる。読取対象８００の送り幅は、たとえば、複数の受光部３２のピッチと同じ長さである。
【００７６】
次に、センサＩＣ３０１、密着型イメージセンサ２０１、および、画像読取装置１０１の作用について説明する。
【００７７】
本実施形態のセンサＩＣ３０１の複数の受光部３２は、赤緑青色の光を受光する受光部３２ｒ，３２ｇ，３２ｂを含んでおり、密着型イメージセンサ２０１は一度の走査によって３色同時読み取りを行うことができる。
【００７８】
本実施形態のセンサＩＣ３０１の複数の受光部３２は、互いに異なる色の光を受光する受光部３２ｒ，３２ｇ，３２ｂからなり、たとえば、受光部３２ｒが設けられている位置における緑色光および青色光の強度はそのままでは取得することができない。このため、信号処理部４００は、たとえば、受光部３２ｒの直近および次に近い位置にある受光部３２ｇからの信号を用いて受光部３２ｒの位置における緑色光の強さを算出している。このような処理を行うことで、画像読取装置１０１は、３ｚ＋６個の受光部３２からの電気信号を用いて３ｚ個の画素情報Ｉｐ１〜Ｉｐ３ｚを生成することができる。従来の方式によれば、３ｚ個の画素情報を生成するために、３ｚ個の受光部からなる受光素子列を３つ並べる必要があるが、本実施形態のセンサＩＣ３０１では受光部３２の数を大幅に減らしつつ一列にまとめることができる。
【００７９】
本実施形態のセンサＩＣ３０１の複数の受光部３２は、一列に並べられており、副走査方向ｙにおける幅は最小限に抑えられている。このため、密着型イメージセンサ２０１の光源２２は、比較的狭い読取領域８０１を均一に照明すればよく、課される条件が緩くなり、製造コストの削減を図り易くなる。さらに、比較的狭い光を通せばよいため、レンズアレイ２４の光軸との距離に応じた屈折率の差異による影響も生じにくい。このため、本実施形態の画像読取装置１０１は、読み取り精度の向上を図り易くなっている。
【００８０】
本実施形態のセンサＩＣ３０１は、３つの出力端子３６１，３６２，３６３を備えており、制御回路３５からの信号を分割してこれらの出力端子３６１，３６２，３６３から同時に出力する。このため、画像読取装置１０１では、センサＩＣ３０１と信号処理部４００との通信時間が少なくて済み、走査してから画像を出力するまでの時間を短縮することが可能となる。
【００８１】
図６〜図２７は、本発明の他の実施形態を示している。なお、これらの図において、上記実施形態と同一または類似の要素には、上記実施形態と同一の符号を付している。
【００８２】
図６〜図１０は、本発明の第２実施形態に基づく画像読取装置を説明するためのものである。図６〜図１０に示す画像読取装置１０２は、可視光領域だけではなく、可視光外の領域の光も受光可能に構成されており、その他の構成は画像読取装置１０１と同様となっている。以下、画像読取装置１０２と画像読取装置１０１との差異について説明を行う。
【００８３】
画像読取装置１０２は、密着型イメージセンサ２０１の代わりに密着型イメージセンサ２０２を備えている。密着型イメージセンサ２０２は、図７に示すように、センサＩＣ３０１の代わりにセンサＩＣ３０２を備えている。さらに、密着型イメージセンサ２０２の光源２２は、赤外光を出射する赤外光ＬＥＤチップ２２４を備えている。本実施形態の導光体２２０は赤外光ＬＥＤチップ２２４が出射する赤外光も主走査方向ｘに導きつつ、その一部を読取領域８０１に向けて出射する。また、図８に示すように、本実施形態のセンサＩＣ３０２は、出力端子３６１，３６２，３６３に加え、出力端子３６４を備えている。
【００８４】
センサＩＣ３０２の複数の受光部３２は、赤外光ＬＥＤチップ２２４が出射する赤外光を受光するｚ＋２個の受光部３２ｉｒを備えている。各受光部３２ｉｒは、赤外光を透過させるカラーフィルタ３３ｉｒと、カラーフィルタ３３ｉｒを通過した赤外光を受光する光電変換素子３４ｉｒとを有している。なお、便宜上区別しているが、光電変換素子３４ｉｒは、光電変換素子３４ｒ，３４ｇ，３４ｂと同型の光電変換素子を用いてよい。
【００８５】
図９においてＩＲｎおよびＩＲｎ＋１と表記したものが受光部３２ｉｒである。図９に示すように、受光部３２ｉｒは受光部３２ｂの隣に配置されている。本実施形態のセンサＩＣ３０２では、４つの受光部３２ｒ，３２ｇ,３２ｂ，３２ｉｒからなる組が連続的に配列されている。
【００８６】
本実施形態の制御回路３５は、各受光部３２ｉｒからの電気信号を増幅し、電気信号Ｓｉｒ（０）〜Ｓｉｒ（ｚ＋１）を出力する。出力端子３６４は、これらの電気信号Ｓｉｒ（０）〜Ｓｉｒ（ｚ＋１）を信号処理部４００へ出力する。図９では、説明の便宜上、電気信号Ｓｉｒ（ｎ），Ｓｉｒ（ｎ＋１）を並べて示しているが、電気信号Ｓｉｒ（０）〜Ｓｉｒ（ｚ＋１）は番号順に順次出力端子３６４から信号処理部４００へ送信される。出力端子３６４が出力する電気信号Ｓｉｒ（０）〜Ｓｉｒ（ｚ＋１）を一括りにして電気信号ＳＩＲとする。
【００８７】
本実施形態の信号処理部４００は、４ｚ＋８個の電気信号ＳＲ，ＳＧ，ＳＢ，ＳＩＲを用いて４ｚ個の画素情報Ｉｐ１〜Ｉｐ４ｚを生成する。画素情報Ｉｐｎは、赤色情報Ｒｐｎ、緑色情報Ｇｐｎ、青色情報Ｂｐｎ、および、赤外情報ＩＲｐｎを有している。赤外情報ＩＲｐ１〜ＩＲｐｚは、電気信号Ｓｉｒ（０）〜Ｓｉｒ（ｚ＋１）の強度｜Ｓｉｒ（０）｜〜｜Ｓｉｒ（ｚ＋１）｜を用いて導出される。
【００８８】
図９に示すように、信号処理部４００は、複数の受光部３２を、それぞれが４つの受光部３２ｒ，３２ｇ，３２ｂ,３２ｉｒからなる受光グループＰ（０）〜Ｐ（ｎ），Ｐ（ｎ＋１）〜Ｐ（ｚ＋１）に分割して処理を行う。信号処理部４００は、受光部３２ｉｒが設けられていない位置に対応する赤外情報ＩＲｐｎを生成する際に、複数の受光グループからの電気信号を用いる。図１０には、画素情報Ｉｐ１〜Ｉｐ４の生成例を例示している。
【００８９】
画素情報Ｉｐ１の赤色情報Ｒｐ１は｜Ｓｒ（１）｜によって表される。緑色情報Ｇｐ１は｜Ｓｇ（０）｜×１／４＋｜Ｓｇ（１）｜×３／４によって表される。青色情報Ｂｐ１は｜Ｓｂ（０）｜×１／２＋｜Ｓｂ（１）｜×１／２によって表される。赤外情報ＩＲｐ１は、｜Ｓｉｒ（０）｜×３／４＋｜Ｓｉｒ（１）｜×１／４によって表される。
【００９０】
画素情報Ｉｐ１は、受光領域８０１のうちＲ１（図４参照）と表記される受光部３２ｒと対応する部分の情報である。受光部３２ｒは、緑色光、青色光、および、赤外光を受光しないため、そのままでは緑色情報Ｇｐ１、青色情報Ｂｐ１、赤外情報ＩＲｐ１は不明となる。このため信号処理部４００は、上述した式を用いた補完処理を行い、緑色情報Ｇｐ１、青色情報Ｂｐ１、および、赤外情報ＩＲｐ１を生成している。
【００９１】
本実施形態の画像読取装置１０２では、赤緑青色のみならず赤外光に関する情報も含む画素情報が生成される。従来の方式によれば、赤外光を受光するための受光素子列を増やすことになるが、本実施形態のセンサＩＣ１０２では、一列に並ぶ受光部３２の中に赤外光を受光する受光部３２ｉｒが含まれている。
【００９２】
図１１〜図１３は、本発明の第３実施形態に基づく画像読取装置を説明するためのものである。図１１〜図１３に示す画像読取装置１０３は、密着型イメージセンサ２０１の代わりに密着型イメージセンサ２０３を備えており、その他の構成は画像読取装置１０１と同様の構成を備えている。密着型イメージセンサ２０３は、センサＩＣ３０１の代わりにセンサＩＣ３０３を備えており、その他の構成は密着型イメージセンサ２０１と同様の構成を備えている。
【００９３】
センサＩＣ３０３は、複数の受光部３２の構成が、センサＩＣ３０１の場合と異なっている。本実施形態の受光部３２は、副走査方向ｙにおける幅が、複数の受光部３２のピッチの２倍となるように形成されている。
【００９４】
本実施形態では受光部３２は４ｚ＋３個設けられている。複数の受光部３２は、ｚ＋１個の受光部３２ｒと、２ｚ＋１個の受光部３２ｇと、ｚ＋１個の受光部３２ｂとを有している。図１２では、受光部３２ｒには、主走査方向ｘにおけるｘ１方（図中左方）から順にＲ１，Ｒ３，Ｒ５…Ｒ２ｎ−１，Ｒ２ｎ＋１……Ｒ２ｚ−１，Ｒ２ｚ＋１と表記している。また、受光部３２ｇには、Ｇ１，Ｇ２，Ｇ３，Ｇ４……Ｇ２ｎ−１，Ｇ２ｎ，Ｇ２ｎ＋１……Ｇ２ｚ−２，Ｇ２ｚ−１，Ｇ２ｚ，Ｇ２ｚ＋１と表記している。また、さらに、受光部３２ｂには、Ｂ０，Ｂ２，Ｂ４……Ｂ２ｎ……Ｂ２ｚ−２，Ｂ２ｚと表記している。
【００９５】
図１２に示すように、複数の受光部３２の主走査方向ｘにおけるｘ１方（図中左方）の端には、受光部３２ｂ（Ｂ０と表記）が配置されている。この受光部３２ｂの隣には受光部３２ｇ（Ｇ１と表記）が配置され、さらにその隣には受光部３２ｒ（Ｒ１と表記）が配置されている。この受光部３２ｒの隣には受光部３２ｇ（Ｇ２と表記）が配置され、さらにその隣には受光部３２ｂ（Ｂ２と表記）が配置されている。以降、受光部３２ｇおよび受光部３２ｒからなる組と、受光部３２ｇおよび受光部３２ｂからなる組とが交互に並んでいる。複数の受光部３２の主走査方向ｘにおけるｘ２方（図中右方）の端には、受光部３２ｇ（Ｇ２ｚ＋１と表記）および受光部３２ｒ（Ｒ２ｚ＋１と表記）からなる組が配置されている。
【００９６】
本実施形態の制御回路３５は、図１２においてＲ１〜Ｒ２ｚ＋１と表記された各受光部３２ｒからの電気信号を増幅し、ｚ＋１個の電気信号Ｓｒ（１）〜Ｓｒ（２ｚ＋１）を出力する。電気信号Ｓｒ（１）〜Ｓｒ（２ｚ＋１）は、それぞれ、同じ番号が付されたＲ１〜Ｒ２ｚ＋１からの電気信号に基づくものである。
【００９７】
本実施形態の制御回路３５は、図１２においてＧ１〜Ｇ２ｚ＋１と表記された各受光部３２ｇからの電気信号を増幅し、２ｚ＋１個の電気信号Ｓｇ（１）〜Ｓｇ（２ｚ＋１）を出力する。電気信号Ｓｇ（１）〜Ｓｇ（２ｚ＋１）は、それぞれ、同じ番号が付されたＧ１〜Ｇ２ｚ＋１からの電気信号に基づくものである。
【００９８】
本実施形態の制御回路３５は、図１２においてＢ０〜Ｂ２ｚと表記された各受光部３２ｂからの電気信号を増幅し、ｚ＋１個の電気信号Ｓｂ（０）〜Ｓｂ（２ｚ）を出力する。電気信号Ｓｂ（０）〜Ｓｂ（２ｚ）は、それぞれ、同じ番号が付されたＢ０〜Ｂ２ｚからの電気信号に基づくものである。
【００９９】
本実施形態の信号処理部４００は、図１２および図１３に示すように、電気信号ＳＲ，ＳＧ，ＳＢから２ｚ個の画素情報Ｉｐ１〜Ｉｐ２ｚを生成する。本実施形態の信号処理部４００は、図１２に示すように、複数の受光部３２のうちＢ０と表記されたもの以外を２個の受光部３２からなる受光グループＰ１〜Ｐ２ｚ＋１に分割して処理する。受光グループＰ１〜Ｐ２ｚ＋１のうち、付される数字が奇数であるものは、受光部３２ｇと受光部３２ｒとによって構成される。受光グループＰ１〜Ｐ２ｚ＋１のうち、付される数字が偶数であるものは、受光部３２ｇと受光部３２ｂとによって構成される。具体的には、受光グループＰ２ｎ―１は受光部３２ｇ（Ｇ２ｎ―１と表記）と、受光部３２ｒ（Ｒ２ｎ―１と表記）とによって構成され、受光グループＰ２ｎは受光部３２ｇ（Ｇ２ｎと表記）と、受光部３２ｂ（Ｂ２ｎと表記）とによって構成される。
【０１００】
本実施形態の信号処理部４００が生成する画素情報Ｉｐ１〜Ｉｐ２ｚは、それぞれ同じ番号を有する受光グループＰ１〜Ｐ２ｚと関連している。たとえば、画素情報Ｉｐ１は、受光領域８０１のうち、受光グループＰ１を構成する受光部３２ｇ（Ｇ１と表記）および受光部３２ｒ（Ｒ１と表記）と向かい合う部分に関する情報である。また、画素情報Ｉｐ２は、受光領域８０１のうち、受光グループＰ２を構成する受光部３２ｇ（Ｇ２と表記）および受光部３２ｂ（Ｂ２と表記）と向かい合う部分に関する情報である。同様に、画素情報Ｉｐ２ｎ−１は、受光グループＰ２ｎ−１を構成する受光部３２ｇ（Ｇ２ｎ−１と表記）および受光部３２ｒ（Ｒ２ｎ−１と表記）と向かい合う部分に関する情報である。画素情報Ｉｐ２ｎは、受光領域８０１のうち、受光グループＰ２ｎを構成する受光部３２ｇ（Ｇ２ｎと表記）および受光部３２ｂ（Ｂ２ｎと表記）と向かい合う部分に関する情報である。
【０１０１】
受光グループＰ１を含め受光グループＰ２ｎ−１は、受光部３２ｂを含んでいないため、画素情報Ｉｐ２ｎ−１の青色情報Ｂｐ２ｎ−１はそのままでは不明となる。受光グループＰ２を含め受光グループＰ２ｎは、受光部３２ｒを含んでいないため、画素情報Ｉｐ２ｎの赤色情報Ｒｐ２ｎはそのままでは不明となる。本実施形態の信号処理部４００は、後述する補完処理を行うことで、青色情報Ｂｐ２ｎ−１および赤色情報Ｒｐ２ｎを導出する。
【０１０２】
本実施形態の画素情報Ｉｐ１の赤色情報Ｒｐ１は｜Ｓｒ（１）｜によって表され、緑色情報Ｇｐ１は｜Ｓｇ（１）｜によって表される。また、画素情報Ｉｐ１の青色情報Ｂｐ１は、｜Ｓｂ（０）｜×１／２＋｜Ｓｂ（２）｜×１／２によって表される。
【０１０３】
本実施形態の青色情報Ｂｐ１は、図１２でＧ１と表記される受光部３２ｇに隣接する受光部３２ｂ（図１２ではＢ０と表記）からの電気信号Ｓｂ（０）と、その次に近い位置にある受光部３２ｂ（図１２ではＧ２と表記）からの電気信号Ｓｂ（２）とを平均して導出されている。
【０１０４】
本実施形態の画素情報Ｉｐ２の赤色情報Ｒｐ２は｜Ｓｒ（１）｜×１／２＋｜Ｓｒ（３）｜×１／２によって表される。緑色情報Ｇｐ２は｜Ｓｇ（２）｜によって表され、青色情報Ｂｐ２は｜Ｓｂ（２）｜によって表される。
【０１０５】
本実施形態の赤色情報Ｒｐ２は、図１２でＧ２と表記される受光部３２ｇに隣接する受光部３２ｒ（図１２ではＲ１と表記）からの電気信号Ｓｒ（１）と、その次に近い位置にある受光部３２ｒ（図１２ではＲ３と表記）からの電気信号Ｓｒ（３）とを平均して導出されている。
【０１０６】
同様にして、本実施形態の画素情報Ｉｐ２ｎ−１の赤色情報Ｒｐ２ｎ−１は｜Ｓｒ（２ｎ−１）｜によって表され、緑色情報Ｇｐ１は｜Ｓｇ（２ｎ−１）｜によって表される。また、画素情報Ｉｐ２ｎ―１の青色情報Ｂｐ２ｎ−１は、｜Ｓｂ（２ｎ−２）｜×１／２＋｜Ｓｂ（２ｎ）｜×１／２によって表される。
【０１０７】
また、本実施形態の画素情報Ｉｐ２ｎの赤色情報Ｒｐ２ｎは｜Ｓｒ（２ｎ―１）｜×１／２＋｜Ｓｒ（２ｎ＋１）｜×１／２によって表される。緑色情報Ｇｐ２ｎは｜Ｓｇ（２ｎ）｜によって表され、青色情報Ｂｐ２ｎは｜Ｓｂ（２ｎ）｜によって表される。
【０１０８】
本実施形態の制御手段７００は、密着型イメージセンサ２０３が走査を行うたびに、受光部３２の副走査方向ｙにおける幅に応じた送り幅で読取対象８００を移動させる。本実施形態では、受光部３２の副走査方向ｙにおける幅が、主走査方向ｘにおける複数の受光部３２のピッチの２倍の長さとなっており、読取対象８００の送り幅は受光部３２のピッチの２倍の長さとなる。
【０１０９】
本実施形態の構成によっても、一列に並ぶ複数の受光部３２を用いて赤緑青色の３色同時読み取りを行うことができる。
【０１１０】
図１４〜図１７は、本発明の第４実施形態に基づく画像読取装置を説明するためのものである。図１４〜図１７に示す画像読取装置１０４は、密着型イメージセンサ２０１の代わりに密着型イメージセンサ２０４を備えており、その他の構成は画像読取装置１０１と同様の構成を備えている。密着型イメージセンサ２０４は、センサＩＣ３０１の代わりにセンサＩＣ３０４を備えており、その他の構成は密着型イメージセンサ２０１と同様の構成を備えている。
【０１１１】
図１５に示すように、本実施形態のセンサＩＣ３０４は、それぞれ、主走査方向ｘに沿って配列された複数の受光部からなる、第１の受光素子列３２１および第２の受光素子列３２２を備えている。本実施形態の各受光部は正方形状である。第１の受光素子列３２１および第２の受光素子列３２２において、複数の受光部は一定のピッチｄｐごとに配置されている。また、第２の受光素子列３２２は、副走査方向ｙにおいて第１の受光素子列３２１からピッチｄｐと同じ長さだけずれた位置に設けられている。
【０１１２】
具体的には、第１の受光素子列３２１は、緑色光を受光する複数の受光部３２１ａと、青色光を受光する複数の受光部３２１ｂとによって構成されている。また、第２の受光素子列３２２は、赤色光を受光する複数の受光部３２２ａと、緑色光を受光する複数の受光部３２２ｂとによって構成されている。便宜上、図１５および図１６では、受光部３２１ａおよび受光部３２２ｂにはＧと表記し、受光部３２１ｂにはＢと表記し、受光部３２２ａにはＲと表記している。なお、本実施形態以降においては、緑色光が本発明の請求項でいう第１の波長の光に相当し、受光部３２１ａは本発明の請求項でいう第１の受光部に相当する。また、青色光が本発明の請求項でいう第２の波長の光に相当し、受光部３２１ｂは本発明の請求項でいう第２の受光部に相当する。また、さらに、赤色光が本発明の請求項でいう第３の波長の光に相当し、受光部３２２ａは本発明の請求項でいう第３の受光部に相当する。
【０１１３】
図１５および図１６に示すように、第１の受光素子列３２１においては、受光部３２１ａと受光部３２１ｂとが交互に並んでいる。また、第２の受光素子列３２２においては、受光部３２２ａと受光部３２２ｂとが交互に並んでいる。また、さらに、各受光部３２２ａの主走査方向ｘにおける位置は、受光部３２１ａのいずれかと同じであり、各受光部３２２ｂの主走査方向ｘおける位置は、受光部３２１ｂのいずれかと同じとなっている。以下、説明の便宜上、受光部３２１ａ、受光部３２１ｂ、受光部３２２ａおよび受光部３２２ｂがｚ個ずつ設けられているものとする。
【０１１４】
本実施形態の各受光部３２１ａは、カラーフィルタ３３１および光電変換素子３４１を備えている。カラーフィルタ３３１は、センサＩＣ３０１におけるカラーフィルタ３３ｇと同様のものであり、光電変換素子３４１はセンサＩＣ３０１における光電変換素子３４ｇと同様のものである。
【０１１５】
本実施形態の各受光部３２１ｂは、カラーフィルタ３３２および光電変換素子３４２を備えている。カラーフィルタ３３２は、センサＩＣ３０１におけるカラーフィルタ３３ｂと同様のものであり、光電変換素子３４２はセンサＩＣ３０１における光電変換素子３４ｂと同様のものである。
【０１１６】
本実施形態の各受光部３２２ａは、カラーフィルタ３３３および光電変換素子３４３を備えている。カラーフィルタ３３３は、センサＩＣ３０１におけるカラーフィルタ３３ｒと同様のものであり、光電変換素子３４３はセンサＩＣ３０１における光電変換素子３４ｒと同様のものである。
【０１１７】
本実施形態の各受光部３２２ｂは、カラーフィルタ３３４および光電変換素子３４４を備えている。カラーフィルタ３３４は、センサＩＣ３０１におけるカラーフィルタ３３ｇと同様のものであり、光電変換素子３４４はセンサＩＣ３０１における光電変換素子３４ｇと同様のものである。
【０１１８】
図１６に示すように、本実施形態の制御回路３５は、受光部３２１ａからの電気信号を増幅し、電気信号Ｓｇ（１）〜Ｓｇ（ｚ）を出力する。なお、ここでは、電気信号Ｓｇ（１）〜Ｓｇ（ｚ）に付される番号が若いほど、基となる信号を発する受光部３２１ａの位置が主走査方向ｘにおける図１６中左方にあるものとする。本実施形態における電気信号Ｓｇ（１）〜Ｓｇ（ｚ）は、本発明の請求項でいう第１の電気信号に相当する。
【０１１９】
本実施形態の制御回路３５は、受光部３２１ｂからの電気信号を増幅し、電気信号Ｓｂ（１）〜Ｓｂ（ｚ）を出力する。なお、ここでは、電気信号Ｓｂ（１）〜Ｓｂ（ｚ）に付される番号が若いほど、基となる信号を発する受光部３２１ｂの位置が主走査方向ｘにおける図１６中左方であるものとする。本実施形態における電気信号Ｓｂ（１）〜Ｓｂ（ｚ）は、本発明の請求項でいう第２の電気信号に相当する。
【０１２０】
本実施形態の制御回路３５は、受光部３２２ａからの電気信号を増幅し、電気信号Ｓｒ（１）〜Ｓｒ（ｚ）を出力する。なお、ここでは、電気信号Ｓｒ（１）〜Ｓｒ（ｚ）に付される番号が若いほど、基となる信号を発する受光部３２２ａの位置が主走査方向ｘにおける図１６中左方であるものとする。本実施形態における電気信号Ｓｒ（１）〜Ｓｒ（ｚ）は、本発明の請求項でいう第３の電気信号に相当する。
【０１２１】
本実施形態の制御回路３５は、受光部３２２ｂからの電気信号を増幅し、電気信号Ｓｇ（１’）〜Ｓｇ（ｚ’）を出力する。なお、ここでは、電気信号Ｓｇ（１’）〜Ｓｇ（ｚ’）に付される番号が若いほど、基となる信号を発する受光部３２２ｂの位置が主走査方向ｘにおける図１６中左方であるものとする。本実施形態における電気信号Ｓｇ（１’）〜Ｓｇ（ｚ’）は、本発明の請求項でいう第４の電気信号に相当する。
【０１２２】
本実施形態の出力端子３６１は、制御回路３５が出力した電気信号Ｓｇ（０）〜Ｓｇ（ｚ）および電気信号Ｓｇ（０’）〜Ｓｇ（ｚ’）を信号処理部４００へ出力する。出力端子３６２は、制御回路３５が出力した電気信号Ｓｂ（０）〜Ｓｂ（ｚ）を信号処理部４００へ出力する。出力端子３６３は、制御回路３５が出力した電気信号Ｓｒ（０）〜Ｓｒ（ｚ）を信号処理部４００へ出力する。以下、出力端子３６１が出力する電気信号Ｓｇ（０）〜Ｓｇ（ｚ）を一括りにして電気信号ＳＧと記載し、出力端子３６１が出力する電気信号Ｓｇ（０’）〜Ｓｇ（ｚ’）を一括りにして電気信号ＳＧ’と記載する。また、出力端子３６２が出力する電気信号Ｓｂ（０）〜Ｓｂ（ｚ）を一括りにして電気信号ＳＢとし、出力端子３６３が出力する電気信号Ｓｒ（０）〜Ｓｒ（ｚ）を一括りにして電気信号ＳＲとする。
【０１２３】
本実施形態の信号処理部４００は、センサＩＣ３０４が出力する電気信号ＳＲ，ＳＧ，ＳＢ，ＳＧ’を受信し、受信した電気信号に基づく複数の画素情報を生成し、生成した画素情報を画像処理部５００へ送信する。各画素情報は、赤緑青の３色の色情報を有している。画像処理部５００は画素情報に基づき読取領域８０１のカラー読取画像を生成する。
【０１２４】
本実施形態の信号処理部４００は、複数の受光部３２１ａ，３２１ｂ，３２２ａ，３２２ｂを、図１６に示すｚ個の受光グループＰ１〜Ｐｚに分割して処理を行う。受光グループＰ１〜Ｐｚは、主走査方向ｘに沿って番号順に連続的に配列されており、信号処理部４００は各受光グループＰ１〜Ｐｚに対応するｚ個の画素情報Ｉｐ１〜Ｉｐｚを生成する。
【０１２５】
各受光グループＰ１〜Ｐｚは、１つの受光部３２１ａと、当該受光部３２１ａと隣り合う受光部３２１ｂおよび受光部３２２ａと、当該受光部３２１ｂと隣り合う受光部３２２ｂとによって構成されている。
【０１２６】
図１７に示すように、ｎを１以上ｚ以下の整数とするとき、各画素情報Ｉｐｎは、赤色情報Ｒｐｎと、緑色情報Ｇｐｎと、青色情報Ｂｐｎとを含んでいる。信号処理部４００は、受光グループＰｎに含まれる受光部３２２ａからの電気信号Ｓｒ（ｎ）に基づいて赤色情報Ｒｐｎを生成する。たとえば、赤色情報Ｒｐｎは、電気信号Ｓｒ（ｎ）の強度｜Ｓｒ（ｎ）｜によって表される。
【０１２７】
信号処理部４００は、受光グループＰｎに含まれる受光部３２１ｂからの電気信号Ｓｂ（ｎ）に基づいて青色情報Ｂｐｎを生成する。たとえば、青色情報Ｂｐｎは、電気信号Ｓｂ（ｎ）の強度｜Ｓｂ（ｎ）｜によって表される。
【０１２８】
信号処理部４００は、受光グループＰｎに含まれる受光部３２１ａおよび受光部３２２ｂからの電気信号Ｓｇ（ｎ），Ｓｇ（ｎ’）に基づいて緑色情報Ｇｐｎを生成する。たとえば、緑色情報Ｇｐｎは、電気信号Ｓｇ（ｎ）の強度｜Ｓｇ（ｎ）｜および電気信号Ｓｇ（ｎ’）の強度｜Ｓｇ（ｎ’）｜を用いて、｜Ｓｇ（ｎ）｜×１／２＋｜Ｓｇ（ｎ’）｜×１／２によって表される。
【０１２９】
本実施形態の制御手段７００は、密着型イメージセンサ２０４が主走査方向ｘに沿う走査を行うごとに、読取対象８００を所定の送り幅だけ移動させる。本実施形態における、読取対象８００の送り幅は、受光素子列３２１，３２２のピッチｄｐの２倍の長さである。この送り幅は、受光素子列３２１の副走査方向ｙにおける幅と、受光素子列３２２の副走査方向ｙにおける幅とを合わせた長さと一致している。
【０１３０】
本実施形態のセンサＩＣ３０４では、２列の受光素子列３２１，３２２を用いて３色同時読み取りを実現している。２列の受光素子列３２１，３２２の副走査方向ｙにおける幅は、従来の３列方式よりも短くて済む。
【０１３１】
図１８〜図２０は、本発明の第５実施形態に基づく画像読取装置を説明するためのものである。図１８〜図２０に示す画像読取装置１０５は、信号処理部４００における処理および制御手段７００による制御が画像読取装置１０４の場合と異なっている。画像読取装置１０５は、センサＩＣ１０５を備えた密着型イメージセンサ２０５を備えている。センサＩＣ１０５はセンサＩＣ１０４と同一の構成を備えており、密着型イメージセンサ２０５は密着型イメージセンサ２０４と同一の構成を備えている。
【０１３２】
本実施形態の信号処理部４００は、図１９に示すように、４ｚ個の受光部３２１ａ，３２１ｂ，３２２ａ，３２２ｂに対して、２ｚ−１個の受光グループＰ１〜Ｐ２ｚ−１を規定し、各受光グループＰ１〜Ｐ２ｚ−１に対応する画素情報Ｉｐ１〜Ｉｐ２ｚ−１を生成する。受光グループＰ１〜Ｐ２ｚ−１は、主走査方向ｘに沿ってピッチｄｐごとに並んでいる。たとえば、受光グループＰ１に含まれる受光部３２１ｂおよび受光部３２２ｂは、受光グループＰ２にも含まれている。
【０１３３】
上記の処理に対応して、本実施形態の制御手段７００は、密着型イメージセンサ２０５が主走査方向ｘに沿う走査を行うごとに、読取対象８００をピッチｄｐと等しい送り幅で移動させる。
【０１３４】
図２０に示すように、ｎを１以上ｚ以下の整数とするとき、受光グループＰ２ｎ−１に対応する画素情報Ｉｐ２ｎ−１は、赤色情報Ｒｐ２ｎ−１と、青色情報Ｂｐ２ｎ−１と、緑色情報Ｇｐ２ｎ−１と、を有している。赤色情報Ｒｐ２ｎ−１は、｜Ｓｒ（ｎ）｜で表され、青色情報Ｂｐｎ−１は、｜Ｓｂ（ｎ）｜で表され、緑色情報Ｇｐ２ｎ−１は、｜Ｓｇ（ｎ）｜×１／２＋｜Ｓｇ（ｎ’）｜×１／２によって表される。
【０１３５】
また、受光グループＰ２ｎに対応する画素情報Ｉｐ２ｎは、赤色情報Ｒｐ２ｎと、青色情報Ｂｐ２ｎと、緑色情報Ｇｐ２ｎと、を有している。赤色情報Ｒｐ２ｎは、｜Ｓｒ（ｎ＋１）｜で表され、青色情報Ｂｐｎは、｜Ｓｂ（ｎ）｜で表され、緑色情報Ｇｐ２ｎ−１は、｜Ｓｇ（ｎ’）｜×１／２＋｜Ｓｇ（ｎ＋１）｜×１／２によって表される。
【０１３６】
本実施形態の処理によれば、画像読取装置１０４の場合のほぼ倍の密度で画素情報を得ることが可能であり、より精密な読み取りが期待できる。
【０１３７】
図２１〜図２４は、本発明の第６実施形態に基づく画像読取装置を説明するためのものである。図２１〜図２４に示す画像読取装置１０６は、密着型イメージセンサ２０２の代わりに密着型イメージセンサ２０６を備えており、その他の構成は画像読取装置１０２と同様の構成を備えている。密着型イメージセンサ２０６は、センサＩＣ３０２の代わりにセンサＩＣ３０６を備えており、その他の構成は密着型イメージセンサ２０２と同様の構成を備えている。
【０１３８】
図２２に示すように、本実施形態のセンサＩＣ３０６は、それぞれ、主走査方向ｘに沿って配列された複数の受光部からなる、第１の受光素子列３２１および第２の受光素子列３２２を備えている。本実施形態における各受光部は正方形状である。第１の受光素子列３２１および第２の受光素子列３２２において、複数の受光部は一定のピッチｄｐごとに配置されている。また、第２の受光素子列は、副走査方向ｙにおいて第１の受光素子列３２１からピッチｄｐと同じ長さだけずれた位置に設けられている。
【０１３９】
具体的には、第１の受光素子列３２１は、緑色光を受光する複数の受光部３２１ａと、青色光を受光する複数の受光部３２１ｂとによって構成されている。また、第２の受光素子列３２２は、赤色光を受光する複数の受光部３２２ａと、赤外光を受光する複数の受光部３２２ｂとによって構成されている。便宜上、図２２および図２３では、受光部３２１ａにはＧと表記し、受光部３２１ｂにはＢと表記し、受光部３２２ａにはＲと表記し、受光部３２２ｂにはＩＲと表記している。
【０１４０】
図２２および図２３に示すように、第１の受光素子列３２１においては、受光部３２１ａと受光部３２１ｂとが交互に並んでいる。また、第２の受光素子列３２２においては、受光部３２２ａと受光部３２２ｂとが交互に並んでいる。また、さらに、各受光部３２２ａの主走査方向ｘにおける位置は、受光部３２１ａのいずれかと同じであり、各受光部３２２ｂの主走査方向ｘおける位置は、受光部３２１ｂのいずれかと同じとなっている。以下、説明の便宜上、受光部３２１ａ、受光部３２１ｂ、受光部３２２ａおよび受光部３２２ｂがｚ個ずつ設けられているものとする。
【０１４１】
本実施形態の各受光部３２１ａは、カラーフィルタ３３１および光電変換素子３４１を備えている。カラーフィルタ３３１は、センサＩＣ３０２におけるカラーフィルタ３３ｇと同様のものであり、光電変換素子３４１はセンサＩＣ３０２における光電変換素子３４ｇと同様のものである。
【０１４２】
本実施形態の各受光部３２１ｂは、カラーフィルタ３３２および光電変換素子３４２を備えている。カラーフィルタ３３２は、センサＩＣ３０２におけるカラーフィルタ３３ｂと同様のものであり、光電変換素子３４２はセンサＩＣ３０２における光電変換素子３４ｂと同様のものである。
【０１４３】
本実施形態の各受光部３２２ａは、カラーフィルタ３３３および光電変換素子３４３を備えている。カラーフィルタ３３３は、センサＩＣ３０２におけるカラーフィルタ３３ｒと同様のものであり、光電変換素子３４３はセンサＩＣ３０２における光電変換素子３４ｒと同様のものである。
【０１４４】
本実施形態の各受光部３２２ｂは、カラーフィルタ３３４および光電変換素子３４４を備えている。カラーフィルタ３３４は、センサＩＣ３０２におけるカラーフィルタ３３ｉｒと同様のものであり、光電変換素子３４４はセンサＩＣ３０２における光電変換素子３４ｉｒと同様のものである。
【０１４５】
図２３に示すように、本実施形態の制御回路３５は、受光部３２１ａからの電気信号を増幅し、電気信号Ｓｇ（１）〜Ｓｇ（ｚ）を出力する。なお、ここでは、電気信号Ｓｇ（１）〜Ｓｇ（ｚ）に付される番号が若いほど、基となる信号を発する受光部３２１ａの位置が主走査方向ｘにおける図２３中左方にあるものとする。
【０１４６】
本実施形態の制御回路３５は、受光部３２１ｂからの電気信号を増幅し、電気信号Ｓｂ（１）〜Ｓｂ（ｚ）を出力する。なお、ここでは、電気信号Ｓｂ（１）〜Ｓｂ（ｚ）に付される番号が若いほど、基となる信号を発する受光部３２１ｂの位置が主走査方向ｘにおける図２３中左方であるものとする。
【０１４７】
本実施形態の制御回路３５は、受光部３２２ａからの電気信号を増幅し、電気信号Ｓｒ（１）〜Ｓｒ（ｚ）を出力する。なお、ここでは、電気信号Ｓｒ（１）〜Ｓｒ（ｚ）に付される番号が若いほど、基となる信号を発する受光部３２２ａの位置が主走査方向ｘにおける図２３中左方であるものとする。
【０１４８】
本実施形態の制御回路３５は、受光部３２２ｂからの電気信号を増幅し、電気信号Ｓ
ｉｒ（１）〜Ｓｉｒ（ｚ）を出力する。なお、ここでは、電気信号Ｓｉｒ（１）〜Ｓｉｒ（ｚ）に付される番号が若いほど、基となる信号を発する受光部３２２ｂの位置が主走査方向ｘにおける図２３中左方であるものとする。
【０１４９】
本実施形態の出力端子３６１は、制御回路３５が出力した電気信号Ｓｇ（０）〜Ｓｇ（ｚ）を信号処理部４００へ出力する。出力端子３６２は、制御回路３５が出力した電気信号Ｓｂ（０）〜Ｓｂ（ｚ）を信号処理部４００へ出力する。出力端子３６３は、制御回路３５が出力した電気信号Ｓｒ（０）〜Ｓｒ（ｚ）を信号処理部４００へ出力する。出力端子３６４は、制御回路３５が出力した電気信号Ｓｉｒ（０）〜Ｓｉｒ（ｚ）を信号処理部４００へ出力する。以下、出力端子３６１が出力する電気信号Ｓｇ（０）〜Ｓｇ（ｚ）を一括りにして電気信号ＳＧと記載する。出力端子３６２が出力する電気信号Ｓｂ（０）〜Ｓｂ（ｚ）を一括りにして電気信号ＳＢと記載する。出力端子３６３が出力する電気信号Ｓｒ（０）〜Ｓｒ（ｚ）を一括りにして電気信号ＳＲと記載する。出力端子３６４が出力する電気信号Ｓｉｒ（０）〜Ｓｉｒ（ｚ）を一括りにして電気信号ＳＩＲと記載する。
【０１５０】
本実施形態の信号処理部４００は、センサＩＣ３０６が出力する電気信号ＳＲ，ＳＧ，ＳＢ，ＳＩＲを受信し、受信した電気信号に基づく複数の画素情報を生成し、生成した画素情報を画像処理部５００へ送信する。各画素情報は、赤緑青色および赤外光の４つの色情報を有している。画像処理部５００は画素情報に基づき読取領域８０１のカラー読取画像を生成する。
【０１５１】
本実施形態の信号処理部４００は、複数の受光部３２１ａ，３２１ｂ，３２２ａ，３２２ｂを、図２３に示すｚ個の受光グループＰ１〜Ｐｚに分割して処理を行う。受光グループＰ１〜Ｐｚは、主走査方向ｘに沿って番号順に連続的に配列されており、信号処理部４００は各受光グループＰ１〜Ｐｚに対応するｚ個の画素情報Ｉｐ１〜Ｉｐｚを生成する。
【０１５２】
各受光グループＰ１〜Ｐｚは、１つの受光部３２１ａと、当該受光部３２１ａと隣り合う受光部３２１ｂおよび受光部３２２ａと、当該受光部３２１ｂと隣り合う受光部３２２ｂとによって構成されている。
【０１５３】
図２４に示すように、ｎを１以上ｚ以下の整数とするとき、各画素情報Ｉｐｎは、緑色情報Ｇｐｎと、青色情報Ｂｐｎと、赤色情報Ｒｐｎと、赤外情報ＩＲｐｎを含んでいる。信号処理部４００は、受光グループＰｎに含まれる受光部３２１ａからの電気信号Ｓｇ（ｎ）に基づいて緑色情報Ｇｐｎを生成する。たとえば、緑色情報Ｇｐｎは、電気信号Ｓｇ（ｎ）の強度｜Ｓｇ（ｎ）｜によって表される。
【０１５４】
信号処理部４００は、受光グループＰｎに含まれる受光部３２１ｂからの電気信号Ｓｂ（ｎ）に基づいて青色情報Ｂｐｎを生成する。たとえば、青色情報Ｂｐｎは、電気信号Ｓｂ（ｎ）の強度｜Ｓｂ（ｎ）｜によって表される。
【０１５５】
信号処理部４００は、受光グループＰｎに含まれる受光部３２２ａからの電気信号Ｓｒ（ｎ）に基づいて赤色情報Ｒｐｎを生成する。たとえば、赤色情報Ｒｐｎは、電気信号Ｓｒ（ｎ）の強度｜Ｓｒ（ｎ）｜によって表される。
【０１５６】
信号処理部４００は、受光グループＰｎに含まれる受光部３２２ｂからの電気信号Ｓｉｒ（ｎ）に基づいて赤外情報ＩＲｐｎを生成する。たとえば、赤外情報ＩＲｐｎは、電気信号Ｓｉｒ（ｎ）の強度｜Ｓｉｒ（ｎ）｜によって表される。
【０１５７】
本実施形態の制御手段７００は、密着型イメージセンサ２０６が主走査方向ｘに沿う走査を行うごとに、読取対象８００を所定の送り幅だけ移動させる。本実施形態における、読取対象８００の送り幅は、受光素子列３２１，３２２のピッチｄｐの２倍の長さである。この送り幅は、受光素子列３２１の副走査方向ｙにおける幅と、受光素子列３２２の副走査方向ｙにおける幅とを合わせた長さと一致している。
【０１５８】
本実施形態のセンサＩＣ３０６では、２列の受光素子列３２１，３２２を用いて４色同時読み取りを実現している。２列の受光素子列３２１，３２２の副走査方向ｙにおける幅は、従来の３列あるいは４列方式よりも短くて済む。
【０１５９】
図２５〜図２７は、本発明の第７実施形態に基づく画像読取装置を説明するためのものである。図２５〜図２７に示す画像読取装置１０７は、信号処理部４００における処理および制御手段７００による制御が画像読取装置１０６の場合と異なっている。画像読取装置１０７は、センサＩＣ１０７を備えた密着型イメージセンサ２０７を備えている。センサＩＣ１０７はセンサＩＣ１０６と同一の構成を備えており、密着型イメージセンサ２０７は密着型イメージセンサ２０６と同一の構成を備えている。
【０１６０】
本実施形態の信号処理部４００は、図２６に示すように、４ｚ個の受光部３２１ａ，３２１ｂ，３２２ａ，３２２ｂに対して、２ｚ−１個の受光グループＰ１〜Ｐ２ｚ−１を規定し、各受光グループＰ１〜Ｐ２ｚ−１に対応する画素情報Ｉｐ１〜Ｉｐ２ｚ−１を生成する。受光グループＰ１〜Ｐ２ｚ−１は、主走査方向ｘに沿ってピッチｄｐごとに並んでいる。たとえば、受光グループＰ１に含まれる受光部３２１ｂおよび受光部３２２ｂは、受光グループＰ２にも含まれている。
【０１６１】
上記の処理に対応して、本実施形態の制御手段７００は、密着型イメージセンサ２０７が主走査方向ｘに沿う走査を行うごとに、読取対象８００をピッチｄｐと等しい送り幅で移動させる。
【０１６２】
図２７に示すように、ｎを１以上ｚ以下の整数とするとき、受光グループＰ２ｎ−１に対応する画素情報Ｉｐ２ｎ−１は、緑色情報Ｇｐ２ｎ−１と、青色情報Ｂｐ２ｎ−１と、赤色情報Ｒｐ２ｎ−１と、赤外情報ＩＲｐ２ｎ−１を有している。緑色情報Ｇｐ２ｎ−１は｜Ｓｇ（ｎ）｜で表され、青色情報Ｂｐｎ−１は｜Ｓｂ（ｎ）｜で表され、赤色情報Ｒｐ２ｎ−１は｜Ｓｒ（ｎ）｜で表され、赤外情報ＩＲｐ２ｎ−１は｜Ｓｉｒ（ｎ）｜で表される。
【０１６３】
また、受光グループＰ２ｎに対応する画素情報Ｉｐ２ｎは、緑色情報Ｇｐ２ｎと、青色情報Ｂｐ２ｎと、赤色情報Ｒｐ２ｎと、赤外情報ＩＲｐｎと、を有している。緑色情報Ｇｐ２ｎは｜Ｓｇ（ｎ＋１）｜で表され、青色情報Ｂｐｎは｜Ｓｂ（ｎ）｜で表され、赤色情報Ｒｐ２ｎは｜Ｓｒ（ｎ＋１）｜で表され、赤外情報ＩＲｐ２ｎは、｜Ｓｉｒ（ｎ）｜によって表される。
【０１６４】
本実施形態の処理によれば、画像読取装置１０６の場合のほぼ倍の密度で画素情報を得ることが可能であり、より精密な読み取りが期待できる。
【０１６５】
本発明に基づくセンサＩＣ、密着型イメージセンサ、および、画像読取装置は、上述した実施形態に限定されるものではない。本発明に基づくセンサＩＣ、密着型イメージセンサ、および、画像読取装置の具体的な構成は、種々に設計変更自在である。
【０１６６】
たとえば、上述した密着型イメージセンサ２０１〜２０７では、光源２２が、導光体２２０、赤色ＬＥＤチップ２２１、緑色ＬＥＤチップ２２２、および、青色ＬＥＤチップ２２３を備えたものとなっているが、蛍光灯等の白色光源を用いてもよい。あるいは、蛍光灯等と、ＬＥＤチップと導光体とを備えた光源とを併用しても構わない。
【０１６７】
また、画像読取装置１０２，１０６，１０７では、可視光領域外の光として赤外光を受光する構成を示しているが、赤外光ではなく紫外光を受光する構成としてもよい。またさらに、カラーフィルタの種類を増やす等の処置を用い、赤外光および紫外光の双方を受光する構成としてもよい。
【０１６８】
画像読取装置１０２，１０６，１０７では、赤外光を受光する受光部３２ｉｒまたは受光部３２２ｂが、赤外光を透過させるカラーフィルタ３３ｉｒまたは３３４を備えた構成を示しているが、カラーフィルタ３３ｉｒまたは３３４を用いない構成も実施可能である。カラーフィルタを有さない受光部を設けた場合、その受光部は光源２２が出射する全波長の光を受光する。この受光部からの電気信号に対し、他の受光部が出力する赤青緑色の光に関する電気信号を引く処理を行うことで、可視光外の光に関する情報を取得することができる。
【符号の説明】
【０１６９】
１０１〜１０７  画像読取装置
２０１〜２０７  密着型イメージセンサ
３０１〜３０７  センサＩＣ
ｘ      主走査方向
ｙ      副走査方向
２１    筐体
２２    光源
２３    透光カバー
２４    レンズアレイ
２２０  導光体
２２１  赤色ＬＥＤチップ
２２２  緑色ＬＥＤチップ
２２３  青色ＬＥＤチップ
２２４  赤外光ＬＥＤチップ
３１    基板
３２    受光部
３３    カラーフィルタ
３４    光電変換素子
３５    制御回路
３２１  第１の受光素子列
３２２  第２の受光素子列
３２１ａ，３２１ｂ，３２２ａ，３２２ｂ  受光部
３３１，３３２，３３３，３３４  カラーフィルタ
３４１，３４２，３４３，３４４  光電変換素子
３６１，３６２，３６３，３６４  出力端子
４００  信号処理部
５００  画像処理部
６００  移送手段
７００  制御手段
８００  読取対象
８０１  読取領域
【図１】
2014022879.tif 000003
【図２】
2014022879.tif 000004
【図３】
2014022879.tif 000005
【図４】
2014022879.tif 000006
【図５】
2014022879.tif 000007
【図６】
2014022879.tif 000008
【図７】
2014022879.tif 000009
【図８】
2014022879.tif 000010
【図９】
2014022879.tif 000011
【図１０】
2014022879.tif 000012
【図１１】
2014022879.tif 000013
【図１２】
2014022879.tif 000014
【図１３】
2014022879.tif 000015
【図１４】
2014022879.tif 000016
【図１５】
2014022879.tif 000017
【図１６】
2014022879.tif 000018
【図１７】
2014022879.tif 000019
【図１８】
2014022879.tif 000020
【図１９】
2014022879.tif 000021
【図２０】
2014022879.tif 000022
【図２１】
2014022879.tif 000023
【図２２】
2014022879.tif 000024
【図２３】
2014022879.tif 000025
【図２４】
2014022879.tif 000026
【図２５】
2014022879.tif 000027
【図２６】
2014022879.tif 000028
【図２７】
2014022879.tif 000029
【図２８】
2014022879.tif 000030